(57)【特許請求の範囲】
【請求項１】
ヒト組換えフィブリノゲン、組換えヒトトロンビン、組換えヒト因子XIIIおよびカルシウムイオンを一緒に含んで成るフィブリンシーラントの製造方法において、前記フィブリノゲンが溶液中に20〜30mg／mLの濃度で存在し、前記因子XIIIがフィブリノゲンmg当り３〜10μｇの濃度で存在し、前記トロンビンが溶液中５〜300I.U.／mLの濃度で存在し、前記カルシウムイオンが溶液中５〜20mMの濃度で存在し、そしてスクロースが4.5％の濃度で、フィブリノゲン、因子XIIIトロンビン及びカルシウムと混合される、ことを特徴とする方法。
【請求項２】
前記フィブリノゲンの濃度が30mg／mLであり、因子XIIIの濃度がフィブリノゲンmg当り10μｇであり、トロンビンが溶液中250〜300I.U.／mLの濃度で存在し、そしてカルシウムイオンが溶液中20mMの濃度で存在する、請求項１に記載の方法。
【請求項３】
請求項１又は２に記載の方法により製造されるフィブリンシーラント。
【発明の詳細な説明】
【０００１】
本発明は、組換えヒトフィブリノゲン（rhFbgn）、組換えヒトトロンビン（rhThrombin）および必要に応じて組換えヒトFXIIIを含んでなる、組換えヒトフィブリンシーラント（rhFS）に関する。
【０００２】
フィブリンシーラント（FS)は、3つのタンパク質成分の混合物である：フィブリノゲン（Fbgn）、トロンビン、および因子XIII（FXIII）。Fbgnはシーラントの構造マトリックスを形成し、最大濃度で存在する。トロンビンおよびFXIIIは酵素であり、非常に低い濃度で存在する。現存するFSは、ヒト血液から精製されたFbgn、およびウシまたはヒト源から精製されたトロンビンを使用して製造される。商用FSのFbgnはプールされた血漿に由来するが、FSのFbgnもまた単一ドナーおよび自家源から多数の血液銀行により精製される。
【０００３】
成分源を無視して、FSは典型的には2つの溶液として処方される：Fbgn＋FXIII、およびトロンビン＋CaCl2。混合したとき、トロンビンはFbgnをフィブリン（Fbn）に変換し、重合してゲルを形成する。トロンビンは、また、FXIIIのチモーゲン（不活性）型を活性型に変換し、この活性型は、カルシウムの存在において、重合したFbn分子を架橋してゲルを強化し、その物理的性質を変更する（第1図）。Fbgnをヒト血漿から精製するとき、FXIIIは通常Fbgnの汚染物質として同時精製される。（血液由来Fbgnから製造されたFSは、また、他のタンパク質、例えば、フィブロネクチン（FN）および成長因子を汚染物質として含有する。）
【０００４】
本発明は、組換えヒトFbgn（rhFbgn）、組換えヒトロンビン（rhThrombin）および必要に応じて組換えヒトFXIII（rhFXIII)（チモーゲンまたは活性）を含んでなる、完全に組換え体のヒトフィブリンシーラント（rhFS）を提供する。組換えヒトフィブリンシーラント（rhFS）は、非組換え成分に由来する現存するフィブリンシーラント（FS）の代替物である。
【０００５】
rhFSは、ウィルブランド因子（von Willebrand's factor）、プラスミノゲン、血清アルブミンおよび免疫グロブリンを包含する、他の血漿タンパク質を含まず、これらのタンパク質の少なくともあるものは主として非選択的沈澱技術により血漿から誘導されるので、血漿由来フィブリンシーラントの中に常に存在する実際的物質である。本発明がなされる前に、フィブリンゲルがこれらの成分の完全な非存在において形成するかどうかは知られていず、今回フィブリンゲルが形成可能であることが確立された。
【０００６】
本発明は、フィブリンゲルが適用される症状の患者を治療する方法に拡張される。この方法は、患者に有効量の前述の組換えヒトフィブリンシーラント（rhFS）を投与することを含む。（「治療」は「予防」または「防止」を適当な環境においてを包含する。）rhFSは特定の環境および症状の特徴に対して調整され、そしてrhFSを異なる目的で異なる態様において信頼性をもって、かつ反復して処方できるということは本発明の利点である。
【０００７】
本発明の好ましい態様をさらに詳述する。
本発明において使用するrhFbgnは原理的には任意の適当な組換えプロセスにより製造することができる。しかしながら、典型的にはフィブリンシーラントのタンパク質成分の98重量％を多少超えるものがフィブリノゲンであるので、大量生産を容易に可能とするプロセスによりrhFbgnを製造することが好ましい。この理由で、最も適当な組換えプロセスはトランスジェニック動物の体液、特に胎盤をもつ哺乳動物、例えば、ヒツジ、ブタ、畜牛、ヤギ、ウサギおよびラクダの乳中のrhFbgnの生産を包含する。
【０００８】
この方法におけるrhFbgnの製造方法はWO-A-9523868号明細書に開示されており、その教示は引用することによって本明細書の一部とされる。本発明において使用するrhFbgnはWO-A-9523868号明細書中の、それぞれ、配列番号1、3および5（または、それぞれ、配列番号2、4および6）に記載されている特定の配列を有するAα、Bβおよびγ鎖から構成されることが好ましいが、対立遺伝子変異型（天然および人工的の両方）は、例えば、WO-A-9523868号明細書に記載される限界内で許容されることができる（対応する天然の特性に対して少なくとも90％、95％または99％同一である、増加する秩序で好ましい）。
【０００９】
ヒト血漿において、存在するフィブリノゲンのほぼ80％はγ−フィブリノゲンであり、そして残りの20％はγ’−フィブリノゲンであり、これは交互にスプライスされたγ’鎖を包含する。γ’鎖の生物学的機能は因子XIIIに結合することであり、そしてそれは事実大きいアフィニティーで結合する。本発明において、rhFbgnはもっぱらγ−フィブリノゲン、すなわち、γ’が存在しないフィブリノゲンであることが好ましい。
【００１０】
これは宿主動物の中に存在する追加のトランスジェニック構築物の複雑さを回避し、また、宿主トランスジェニック動物（例えば、ヒツジ）の因子XIIIに結合するrhFbgnの潜在的問題（これはそうでなければ除去することが困難である）を回避する。驚くべきことには、γ’鎖を含まないrhFbgnは不当に弱体化されず、そして受容されるフィブリンゲルをなお形成することができる。
【００１１】
組換えフィブリノペプチドA、例えば、トランスジェニックヒツジの乳中で生産されるもの、は血漿由来分子と比較して過度にリン酸化されることが認められた。顕著には、不適切なリン酸化度であると思われるものにかかわらず、組換えフィブリノペプチドAはなおトロンビンにより切断され、そして切断速度の反応速度論は実質的に損なわれないようである。
【００１２】
rhFbgn、例えば、トランスジェニックヒツジの乳中で生産されたものはシアリル化度が低いように思われる。このために、rhFbgnは本発明において2つの理由で機能しないことを合理的に期待することができる。第1に、フィブリノゲンの溶解度は適切なシアリル化に依存することが知られており、フィブリノゲンはいずれの場合においても血漿タンパク質のうちで溶解度が最も低いものであるので、本発明において適切な引張強さを有するゲルを形成に十分な可溶性フィブリノゲンは利用可能でないという現実の可能性が存在する。
【００１３】
第2に、シアリル化度はフィブリン繊維の形成速度をコントロールすると考えられる。失敗を期待するこれらの理由にかかわらず、本発明はフィブリンゲルを首尾よく形成することができる。また、本発明において使用するrhThrombinは原理的には任意の適当な組換えプロセスにより製造することができる。それは酵素であるので、それはrhFbgnよりも非常に少ない量で存在することが必要である。
【００１４】
rhThrombinの製造に種々の宿主を使用できるが、最も好ましい組換えプロセスは哺乳動物細胞、例えば、CHO細胞によりrhThrombinの産生を包含する。rhThrombinは不活性型で製造し、精製プロセスの一部分として活性化することができる。この方法におけるrhThrombinの製造プロセスは、米国特許第5,476,777号、米国特許第5,502,034号および米国特許第5,572,692号明細書に記載されており、それらの教示は引用することによって本明細書の一部とされる。
【００１５】
本発明において使用するrhFXIIIは、それを添加する場合、再び、原理的には任意の適当な組換えプロセスにより製造することができる。最も好ましい組換えプロセスは宿主細胞によりrhFXIIIの産生を包含する。宿主細胞は、培養において、微生物細胞、例えば、酵母細胞であることができる。哺乳動物細胞は、また、特定の環境において選択される宿主細胞であることができる。この方法におけるrhFXIIIの製造プロセスは、EP-A-0,268,772号明細書に記載されており、その教示は引用することによって本明細書の一部とされる。
【００１６】
本発明の最も好ましい態様において、組換えヒトFbgn（rhFbgn）はトランスジェニックヒツジの乳の中に分泌される；組換えヒトトロンビン（rhThrombin）はCHO細胞により不活性型として発現され、精製プロセスの一部分として活性化される；そして組換えヒト因子XIII（rhFXIII）は酵母により細胞質的に発現される。
【００１７】
産物として、rhFSは血液由来産物に関連する潜在的ヒト病原体の危険を含まない。rhFSとして使用する組換えタンパク質は高度に精製し、特別にアッセイして宿主生物に由来する汚染物質がプロセシングの間に除去されていることを保証することができる。また、組換え的にの産生は3つのタンパク質成分の確実な、終始一貫した源を保証する。さらに、rhFSは1またはそれ以上の所定の臨床的適用のためにその機能的性質を最適化するように処方することができる。
rhFbgnを微視的凝塊またはゲルに重合することができ、そしてこのゲルはin  vitroおよびin  vivoにおいてシーラント、接着剤、止血剤、または創傷治癒マトリックスとして作用することができる。
【００１８】
rhFSの完全な特性決定は、個々のタンパク質成分の生化学的特性決定および組合わせた産物の機能的特性決定の両方を包含する。rhFSの酵素成分、rhThrombinおよびrhFXIIIを均質に精製し、それらの同一性、純度、および特異的活性に関して正確に特性決定することができる。結局、rhFS成分としてのそれらの挙動は、本発明によると、非常に予測可能である。対照的に、rhFbgnは関係する種の異種集団として得られ、そしてrhFSの主成分としてのその挙動は推定的に予測可能性が低いが、容易に特性決定することができる。
【００１９】
最も初歩的レベルにおいて、rhFbgn、ならびにヒト血漿から精製されたFbgnは6本のジサルファイド結合鎖：2本のアルファ、2本のベータ、および2本のガンマから構成された340kDの分子である。しかしながら、これらの6本の鎖の各々は異種であることができる。不均質性は一次アミノ酸配列（遺伝的多形性、オールタネイトスプライス、またはタンパク質分解により引き起こされる）のレベルにおいておよび／または翻訳後の修飾（例えば、ベータおよびガンマ鎖のグルコシル化またはアルファ鎖のリン酸化）のレベルであることができる。6本の潜在的に異種性の鎖の1つへの分子の結合は莫大な種々の関係する種を発生し、それらのすべてはFbgnとして同定される。
【００２０】
rhFbgnとヒト血漿から精製されたFbgnとの間には、いくつかの明確な差が存在する。血漿由来Fbgnにおいて、2つの交互にスプライスされたガンマ鎖（γおよびγ’）が存在し、それらのうちで主要な型（γ）のみがrhFbgnの中に存在する。さらに、rhFbgnのベータおよびガンマ鎖のグルコシル化（アルファ鎖のグルコシル化は存在しない）は血漿由来Fbgn上のそれとわずかに異なるが、トランスジェニック動物の乳中で発現される他のタンパク質上に見出されるものに類似する。
【００２１】
また、rhFbgnのアルファ鎖のSer3は血漿由来Fbgnのアルファ鎖のSer3よりも高度にリン酸化されている。（このリン酸化は機能的差を引き起こさない。）最後に、アルファ鎖上の多数の高度にプロテアーゼ感受性の部位のC末端のタンパク質分解により引き起こされる不均質性において検出可能な差が存在する。しかしながら、同様な大きさの差はまた異なる源からの血漿由来Fbgnの間において観察される。
【００２２】
実際には、均質なFbgnの製造は大きい困難を伴ってのみ達成することができ、そしてFbgnは通常関係する種の集団として得られる。必要に応じて、いくつかの明確なFbgn下位集団は溶解度およびイオン交換クロマトグラフィー（DEAE）樹脂への結合の差に基づいて部分的に分離することができる（Lipinska他，1974，HasegawaおよびSasaki，1990，Siebenlist他，1996）。これらの下位集団が単離されるとき、それらはそれらの生化学的性質において有意に異ならない（トロンビンによるフィブリノペプチドの放出、凝集性％、FXIIIによる架橋）。しかしながら、それらはそれらが形成するフィブリンゲルの構造およびそれらのゲルの物理的性質において有意に異なる（HasegawaおよびSasaki，1990）。
【００２３】
Fbgnの固有の不均質性の有意な結果は、rhFbgnを性質を比較する「標準的Fbgn」が存在しないことである。生化学的または酵素的アッセイを比較するとき、標準の欠如は顕著ではない。すべての「上質の」Fbgn調製物は同様な方法においてトロンビンおよびFXIIIと相互作用し、そして＞95％凝集可能である。しかしながら、それはFbgnをトロンビンおよびFXIIIと混合することによって得られるフィブリンシーラントの物理的性質または「機能的」性質であり、これらの性質はFbgn源に依存して非常に有意に異なることがある。それ以外は同一の条件下に「上質の」Fbgnの異なる源から観察することができる変動の大きさの1例として、3つの異なるFbgn試料の凝集曲線が第2図に示されている。（これらの曲線の解釈は後述される。）
【００２４】
終始一貫した性質を有する機能的rhFSを開発するために、rhFbgnを均質に精製することは実際的でなく、あるいは必要でない。必要なことは、所定のプロセスにより製造されたrhFbgnを使用して製造されるrhFSを特性決定する、機能的アッセイを有することである。これらのアッセイを使用すると、rhFbgnそれ自体のバッチ対バッチの首尾一貫性を評価することができ、そして最終生成物rhFSの規格を設定することができる。
rhFSの機能的性質を特性決定するために開発されたin  vitroアッセイの背後にある原理を、ここで説明する。詳細なプロトコルは実施例の中に含められている。
【００２５】
巨視的に、rhFSは透明ないし不透明の、白色の、ゴム状ゲルとして見える。巨視的に、血液凝塊の中に見出されるものに類似するフィブリン繊維の網細工またはマトリックスとして見える（第3図）。このマトリックスは創傷治癒のための予備的スカホールドを提供すると考えられる（clark他、1982）。フィブリンマトリックスの構造の混乱は、rhFSの機械的性質および光学的性質に有意な効果を与えることが知られている。（事実、これらの同一の性質の多数は本来血液凝固を伴う生化学的プロセスを明らかにするために使用された。）フィブリンゲルの構造は生物学的事象に対して深遠な効果を有することができる（RedlおよびSchlag，1986）。
【００２６】
rhFSのゲル構造の完全な記載は、フィブリン繊維の太さ、分岐点の間隔、孔サイズの分布、剛性、強度、およびその他を包含する。実際には、顕微鏡検査を各試料について実施することができず、そしてrhFSの機能的性質を特性決定するために、物理的技術が普通に使用される。血液凝固を研究するために、いくつかの技術が本来開発され、そして血液の中に存在するものに類似するrhFbgn濃度においてのみ使用することができ（2,5〜3.0mg／ml）、これらの濃度はrhFSの中に見出される濃度よりもほぼ10倍低い。
【００２７】
しかしながら、関係する技術を使用して、低いrhFbgn濃度におけるrhFbgnの挙動を「完全強度の」rhFSに外挿することを確認することができる。in  vitroで実施されたアッセイのすべての1つの利点は、これらのアッセイにおいて、in  vivoの止血の用途に使用される濃度より低いrhThrombin濃度を使用することである。rhFSを計器の中に入れ、測定値をin  vitroで記録する時間を得るために、数分の1秒よりむしろ、10秒〜30分のゲル化時間が必要である。
【００２８】
rhFSの機能的性質の多数は、事実、低いrhFbgn濃度から高いrhFbgn濃度に外挿する。したがって、rhFbgnを変換するために、初期の実験の大部分は2.5〜3.0mg／mlのrhFbgn濃度を使用して実施された。rhFSの性質に対する処方緩衝液およびrhFXIII濃度の効果を評価するために、これらの実験は設計された。3つのアッセイはこのスクリーニングのための基準を形成した：圧縮、トロンボエラストグラフィー、および光学密度の測定法。
【００２９】
圧縮を使用してシネレシスに対するrhFSの抵抗を定量する（流体の絞り出しを伴う収縮）。容易に離液するゲルは収縮し、液体を容易に失うが、容易に離液しないゲルは形状を保持する。実際には、FSの性質は2つの極端の間で変化することができる。圧縮実験において、rhFS試料が粘着しない管の中に特定した時間の間特定した力で遠心する前およびした後に、rhFS試料の体積を測定する。シネレシスに対する抵抗が大きくなるほど、もとの体積のより多くは試料により保持される。
【００３０】
トロンボエラストグラフィー（TEG）を使用して、rhFSがゲル化するとき、rhFSの弾性の時間依存的変化を定量する。TEGにおいて、振動的方法でわずかに回転するカップの内側に試料を入れる。歪ゲージに取り付けたピンを、カップに直接接触しないようにして、カップの中心に配置する。カップとピンとの間にのみ液体が存在する場合、信号は発生しない。しかしながら、rhFSをカップの中に入れるとき、rhFSが液体からゲルに転移するにつれて、絶えず増加する信号が発生し、剛性が増加し、カップの運動のより多くがピンへ伝達される。TEGプロットから誘導される情報は、試料がまず固体様挙動を示す凝固時間、ゲル構造の成熟速度の測度としての剛性／時間のプロットの勾配、および30分または信号がもはや増加しなくなった後に測定したゲルの最終剛性を包含する（第3図）。
【００３１】
FSの「強度」および分解を測定するいくつかの他のアッセイは、高いrhFbgn濃度（25〜30mg／ml最終）におけるrhFSの機能的性質のin  vitro特性決定に極めて有用である。rhFSの「強度」は独立に測定できるいくつかの性質を包含する：rhFSの剛性または剛性、張力または剪断において、rhFSを破断するために必要な極限力、およびrhFSとそれを適用した物質（被着体）との間の接着力。一般に、高い濃度のrhFbgnを使用して製造したrhFSは、光学的測定を有効とするためには不透明過ぎる。これらのアッセイは、高いrhFbgn濃度におけるrhFSの我々のin  vitro研究のための基準を形成する：平行板レオメトリー、引張接着試験、およびフィブリン溶解速度の測定。
【００３２】
平行板レオメトリーは、TEGと同様な方法において、しかし非常に広い範囲の操作パラメーターおよびrhFS濃度にわたって使用することができる。固定した円形板と振動する円形板との間に挟まれたゲルの粘弾性をレオメーターで測定する。板の間の間隔、動く板の回転速度、および振動運動の大きさを独立に変化させることができる。歪み（歪％）の量およびその歪みを引き起こすために必要な力（応力）は、記録する主な測定値である。応力／歪の曲線の勾配は、ゲルの弾性率（G’）、すなわち、剛性の測度である。ゲルがより剛性、いっそう硬質となるほど、弾性率はより高くなる。
【００３３】
また、関係する用語、損失弾性率（G”）（ゲルの粘性挙動を記載する）を測定することができる。ちょうどTEGを使用するときのように、時間依存的測定値を記録することができる。これらは典型的には非常に小さいレベルの変形（歪％）で測定するので、フィブリンゲルの構造は損傷されない。これらから、凝固時間、ゲル構造の成熟速度、および最大弾性率を得ることができる。いったんrhFSが固化すると、ゲルが破断するまで、ゲルに加える振動力（応力）の量を徐々に増加することによって、rhFSの凝着剪断強さを測定することができる。
【００３４】
また、引張測定法によりrhFSの「強さ」を測定することができる。引張測定法を使用することによって、rhFSを塊状固体として試験して凝着強さを測定することができるか、あるいはそれを２つの表面（被着体）の間に挟み、引き離して接着強さを測定することができる。また、剪断（Sierra，1993，Siedentop他，1988，T  Brodneiwizc，個人的連絡）または剥離の配置で接着の測定を実行することができる。配置を無視して、rhFSの破損モードの同定はアッセイの重要な部分である。
【００３５】
弱く、しかも接着性シーラントの凝着破損と、そうでなければ凝着的に強いrhFSのシーラント−被着体の界面における接着破損とを視的に区別できるように、我々は既知の厚さのrhFSフィルムを試験する我々のアッセイを設計した。実際には、凝着破損は非常に低いフィブリノゲン濃度においてのみ観測される。また、引張接着試験のための試料をより速くかつより再現性をもって製造するために、1組の再使用可能なステンレス鋼ジグを我々は設計した。そうであってさえ、統計的に有意である結果を得るために、20回またはそれ以上の反復実験が必要であることがある。
【００３６】
被着体ならびにrhFSの性質により、接着強さを決定する。この問題の重要性は下記の観察により例示される。合成被着体、例えば、SILASTICTM（医学的等級のシリコーンゴム）へのrhFSの接着強さは、組織、例えば、皮膚または硬膜に対する接着強さよりも有意に大きい（第4図およびSiedentop他，1995，Park他，1997，Siedentop他，1997）。実際的観点から、再現可能な被着体はrhFSの異なる調製物を比較するために有用であろう。しかしながら、合成被着体、例えば、シラスティック（Silastic）を容易に製造できるが、再現可能な組織の被着体は不可能である。
【００３７】
種々の合成被着体（ステンレス鋼、アルミニウム箔、アセテートフィルム、ニトロセルロース、シラスティック）、および種々の組織（ブタの分割皮膚、仔ウシの分割皮膚、ラットの新鮮なおよび凍結した完全な厚さの皮膚、および平らなシートとして製造できる多数の他の組織、例えば、硬膜、腸、および腱）に対するFSの接着の引張強さを我々は評価した。追加の変数、例えば、湿度が結果に影響を与えることが知られているが、再現可能にコントロールすることは困難である（G  T  Rodeheaver，個人的連絡）。一般に、極めて多数の反復試験の試料を試験しない限り、これらのアッセイは処方変数の小さい変化に対して比較的不感受性である。
【００３８】
接着アッセイが実行することが非常に困難であるという事実にかかわらず、接着「強さ」は大きい認識された意味を保持する機能的性質である。しかしながら、異なるFS調製物のin  vitro「強さ」をそれらのin  vivo効率に相関させる研究は文献に記載されていない。それにもかかわらず、生きている動物を含む接着アッセイはFSについてのQCアッセイとしてまだ普通に使用されている。（これは接着アッセイのための再現可能な、生物学的に関係する被着体を見出すことが困難であることを立証する。）
【００３９】
1つの立体配置において、固定されたサイズの完全な厚さの皮膚パッチを麻酔したマウスまたはラットの背から切除し、次いでFSで背に接着する。前もって決定したインキュベーション時間後、皮膚パッチを引き離すと同時にそれを除去するために必要な力を物質試験計器で記録する（KjaergardおよびWeis-Fogh，1994）。麻酔したラットを使用する引張アッセイ、およびブタの分割皮膚を使用するアッセイにおいて、異なる処方物FSを比較するとき、我々は同様な結果を観測した（S  BusbyおよびM  Buddle、データは示されていない）。
【００４０】
理想的には、FSを適用した外科的部位が治癒するにつれて、創傷において新しく形成した組織は、FSが分解し、その機械的強さを喪失する速度に近い速度で、機械的強さを発生する。接着を使用し、試験するとき、取り囲む組織の性質は、rhFSそれ自体の性質に加えて、in  vivo分解速度を決定するであろう。不都合なことには、治癒する創傷が維持しなくてはならない最小強さはよく確立されず、そして創傷の位置、および取り囲む組織に依存して変化するであろう。しかしながら、ちょうど「強さ」と同じように、分解速度はが大きい認識された意味を保持する機能的性質である。
【００４１】
FSはタンパク質分解的および細胞のプロセスを介してin  vivoで分解することができるが、in  vitro分解はタンパク質分解について最も容易に測定される。血漿由来Fbgnを使用してFSを製造し、それがなおプラスミノゲンを含有する場合、プラスミノゲンアクチベーター、例えば、ストレプトキナーゼまたはtPAの添加により、タンパク質分解を開始することができる。rhFSの場合におけるように、FSが内因的プラスミノゲンを含まない場合、プラスミン、プラスミノゲン＋アクチベーター、または他のプロテアーゼ、例えば、白血球エラスターゼの添加により、フィブリン溶解を開始しなくてはならない（Edwards他，1993）。我々の研究のために、我々はプラスミンを選択した。
【００４２】
重合前にFSにプロテアーゼを添加するか、あるいはプロテアーゼを含有する溶液の中に既に重合したFSを添加することによって、フィブリン溶解アッセイを実行することができる。rhFSは通常プロテアーゼを含有するように処方されないので、後のアッセイのフォーマットを採用した。視的に観察するとき、rhFSはその体積を通じて均質よりむしろ、溶液／シーラントの界面において分解する。溶解の非常に最後の段階まで、rhFSの大部分はその構造完全性を維持するので、プロテアーゼおよび可溶性Fbnフラグメントを含有する溶液から未溶解のrhFSを容易に分離することができる。これは簡単なアッセイの基準を提供し、ここで可溶性Fbnフラグメントの濃度を時限間隔で測定してフィブリン溶解速度を測定する。
【００４３】
フラグメントの濃度をUV−Vis分光法により測定できる（SiebenlistおよびMosesson，1994）。我々はrhFSを使用してフィブリン溶解を実行し、rhFSをゲル化させ、次いで37℃において一夜インキュベートした。次いでrhFS試料を37℃のヒトプラスミン溶液の中に取った。時限間隔で、溶液の試料を取り、可溶性フラグメントの濃度を280nmにおける吸収に基づいて測定した。rhFSが完全に溶解した後、吸収を再び測定して、100％の溶解についての値を得た。次いで時点を溶解％／時間としてプロットして、フィブリン溶解速度を得た。
【００４４】
本明細書における実験の大部分はTris-HCl、NaCl（TBS）緩衝液系中で実行した。他の緩衝液系もまたこの目的に適当であることがある。rhFSの特定の挙動は最終処方の緩衝液に依存して多少変化することがあるが、本明細書に記載される一般的傾向を保持すべきである。
パイロット実験において、TBS中で処方されたrhFSは、血漿由来Fbgn、その内因的FXIII、およびrhThrombinを使用して作られたFSよりも、いっそう容易に離液する傾向があることが示された。さらに、ゲル化速度は速いが、TEGにより特性決定したとき、rhFSは非常に剛性ではなく、OD測定法により特性決定したとき、非常に不透明であった。これらの性質を総合すると、ゲル構造は極めて粗大であり、太い繊維および大きい孔を有することが示された。
【００４５】
rhFSのゲル構造を変更するための生物学的に誘導される正当化は存在しないが、我々の初期の評価のための粗大および微細の極端の間の中間であるゲル構造が決定された。ゲル構造は、多数の異なる処方変数によりモジュレートすることができる：Fbgn濃度、FXIII濃度、トロンビン濃度、pH、イオン強度、および糖のような添加剤。
【００４６】
血漿由来Fbgnを使用すると、FSゲルは低いFbgn濃度において容易に凝固するが、約5mg／mlのFbgn以上のFbgn濃度において凝固に抵抗する。凝固に対するrhFbgn濃度の効果をまず研究して、望ましい機能的性質を有するrhFSを製造するために、rhFbgn濃度単独を使用できるかどうかを明らかにした。血漿由来Fbgnから製造されたFSの挙動と顕著に対照的に、凝固挙動は高いrhFbgn濃度において有意に改良されなかった（第5図）。
【００４７】
また、rhFSへのrhFXIIIの添加は凝固に対してほとんど効果をもたなかった。これは次の節においていっそう詳細に論じられる。トロンビン濃度を増加すると、より微細なゲル構造を製造することができる。しかしながら、rhFSは、低いrhThrombin（1U／ml）濃度においてさえ、急速に（10〜20秒）でゲル化するので、rhThrombin濃度を有意に増加することは実行可能ではなかった。
【００４８】
rhFSの性質に対するイオン強度（添加したNaCl）および糖（添加したスクロースまたはソルビトール）の効果を検査した。添加したNaClおよび糖の両方は、相乗的方法で凝固を減少させた（第6図）。付随的に、TEGにより測定した剛性は増加し、そしてODにより測定した不透明度は減少した。さらに、添加したNaClおよび糖の両方は凝固時間を増加する傾向があった。凝固時間の増加を補償するためにrhThrombin濃度を増加したとき、追加の剛性の増加およびODの減少が観測された。総合すると、この挙動はrhFSがより微細な構造にむかってシフトしていることを示した。
【００４９】
変化するNaCl、糖（スクロース）およびrhThrombinの濃度を使用する多数の実験からのデータを組合わせたとき、ゲル構造に対するこれらの処方の変数の効果の一般的画像が出現した（第7図）。NaCl、スクロース、またはrhThrombinを増加させるとき、剛性および凝固に対する抵抗は増加し、この時不透明度は減少した。しかしながら、微細な透明なゲルの極端な範囲において、剛性は急勾配で低下し、そして脆い、容易に損傷するが、凝固不可能なゲルが生じた。
【００５０】
また、第7図から容易に明らかでないが、塩および糖の濃度依存的効果は線形ではない。鋭い転移がある臨界的値において観測されるまで、性質の段階的変更が存在した。ゲル構造に影響を与える多数の変数について、この非線形の型の挙動が観測された（ShlmanおよびFerry、1949）。
高いrhFbgn濃度におけるrhFSの物理的性質に対する処方緩衝液の効果を完全には研究しなかったが、異なる処方緩衝液の効果は視的に観察された（第8図）。
【００５１】
これらの実験の結果として、TBS中の4.5％のスクロースの処方緩衝液をそれ以上の研究のために選択した。［これらの緩衝剤の成分はゲル構造に対する処方変数の潜在的効果を例示するためにのみ選択したことに注意すべきである。それらは最適化された処方緩衝液を表すことを意図せず、そしてTBS＋4.5％のスクロースは最終生成物のために推奨される配合物であるか、あるいはそうでないことができる。］TBS＋4.5％のスクロースは、極端に粗大でなく、極端に微細でなく、そして血漿由来Fbgnから製造されたFSのそれに類似する方法で挙動するゲル構造を有する、rhFSを生成した。
【００５２】
プールしたヒト血漿に由来するFbgnからFSを製造するとき、FXIIIは通常Fbgnと同時精製される汚染物質として存在する。それ自体、FXIIIの濃度を報告するが、活性的にコントロールされない。わずかの例外を除外して、プールしたヒト血漿に由来するFSは血液の中に見出されるレベルに近いか、あるいはそれより低いレベルでFXIIIを含有する（第9図）。
【００５３】
FXIIIはFSの必要な成分と一般に考えられている（特にヨーロッパにおいて、Fbgnの精製の間にFXIIIが消耗される場合、多少の血漿由来Fbgnは添加し戻されたFXIII濃度を有する）が、この仮定は、特に米国において、なお論争されている。rhFSの成分は高度に精製されるので、rhFXIIIが故意に添加されないかぎり、rhFSはrhFXIIIを含有しないであろう。規制の目的で、この添加、および最終生成物中のrhFXIIIの濃度は実験的に正当化されなくてはならない。この正当化は下記の節に記載する実験の目的である。
【００５４】
前述したように、rhFSの性質に対する処方緩衝液の効果を評価する前に、ゲル構造を修飾しかつ凝固に対する抵抗を増加する手段として、rhFXIIIの添加を評価した。rhFSへのrhFXIIIの添加は凝固に対してほとんど効果を示さなかった。TBS＋4.5％のスクロースの緩衝液をそれ以上の実験のために選択した後、rhFXIIIの効果を再び再評価した。再び、rhFSへのrhFXIIIの添加は、スクロースの添加により得られた効果を越える追加の効果を凝固に対して示さなかった（第10図）。これが示唆するように、rhFXIIIはゲル構造の多孔度に対してほとんど効果を示さない。我々の観察は、FXIIIによる架橋の増加の結果として、凝固に対する抵抗の増加を証明する、Nair他（NairおよびShats、1997）が最近報告した観察と対立する。
【００５５】
添加したrhFXIIIもまたODに対してほとんど効果を示さず、rhFXIIIがゲルの繊維サイズまたは孔構造を有意に修飾しないことが示唆される。しかしながら、rhFXIIIは、TEGにより測定したとき、rhFSの剛性に対して有意な効果を事実示した（第11図）。
【００５６】
投与量−応答の曲線としてプロットしたとき、TEG振幅に対するrhFXIIIの効果は非線形であり、低いrhFXIII濃度において非常に急勾配の投与量−応答を示し、そしてより高いrhFXIII濃度においていっそう浅い投与量−応答を示す（第12図）。挙動の変化は3〜4μgのrhFXIII／mgのrhFbgnにおいて起こる。このレベルは血漿（および現存するFS）の中に内因的に見出されるレベルに近似する。結局、汚染するFXIIIが特別に消耗されない（すなわち、生理的量を超える量のFXIIIの添加がTEG振幅Tをほとんど変化させない）かぎり、FSの性質の決定におけるFXIIIの役割は血漿由来Fbgnを使用して実施された実験において見逃される。
【００５７】
TEGを使用して観測された剛性のrhFXIII誘導増加は高いrhFbgn濃度のrhFSに外挿されることが、レオメトリーにより確証された。レオメーターを使用すると、シグナルの振幅よりむしろ、弾性率（G’）をrhFXIII濃度の関数として測定した。TEGにより観測したときと同様に、投与量−応答曲線は非線形であった。弾性率に加えて、rhFSの剪断破断強さはrhFSの添加により劇的に増加する。破断対rhFXIII／rhFbgnの比の曲線上の最高値（第13図）はレオメーターの高い応力限界を表すので、10μgのrhFXIII／mgのFbgnを越えるrhFSの破断応力に対するrhFXIIIの投与量依存的効果を決定しなかった。rhFSのin  vivo機能に対する弾性率の意味は識別することが困難であるが、rhFXIIIの添加により提供される破断応力の増加はin  vivo適用、例えば、皮膚移植固定に関係するであろう。
【００５８】
rhFSが破断するとき、rhFSはレオメーターの両方の板上のパッチの中に残り、rhFSが凝着的に破損したことを示唆した。rhFXIIIの添加に伴うrhFSの破断強さの増加は、FXIIIによる架橋がFSの凝着引張強さを有意に増加させることを証明する文献中の報告と一致する（MarxおよびBlankenfeld、1993、Nowotny他、1982）。
【００５９】
FSの凝着強さに対するFXIIIの有益な効果は一般に受け入れられているが、接着強さに対するFXIIIの効果は論争されている（G  Marx、個人的連絡）。我々の研究はこの論争に対して多少の光をそそいだ。rhFSをTBS中で処方するとき、この処方物は非常に粗大のゲル構造を発生することが証明され、被着体としてシラスティックを使用して引張接着強さの有意な増加が観測された（第14図）。被着体としてアセテートおよび分割ウシ皮膚を使用して、同様な結果が得られた。
【００６０】
しかしながら、処方物にスクロースを添加したとき、引張接着強さ（シラスティックに対する）はrhFXIIIの非存在においてさえ増加し、rhFXIIIの付加された効果は観測されなかった（第14図）。これらの観測から示唆されるように、特に合成被着体に対する、引張接着強さの測定はゲル構造に対して非常に感受性である。処方緩衝液の選択はrhFSの引張接着強さに対するrhFXIIIの観測された効果を増幅または減少することができることを、我々は予測する。
【００６１】
また、rhFSの分解速度に対するrhFXIIIの効果を評価した。「強さ」を使用するときのように、分解速度は大きい認識された意味を保持する機能的性質である。取り囲む組織の性質が、rhFSの性質に加えて、分解速度を決定し、かつ分解速度をin  vivo効能に相関させる研究が存在しないという事実にかかわらず、これは真実である。Edwards他、およびSiebenlistおよびMosessonによる以前の研究は、FXIIIが投与量依存的方法で繊維素溶解速度を減少させることを証明した（Edwards他、1993、SiebenlistおよびMosesson，1994）。
【００６２】
初期の研究において、8μg／ml（約0.2cu／ml）の血漿濃度は4〜6時間にrhFS試料の大部分を溶解することが決定された。同一血漿濃度を使用して、増加する濃度のrhFXIIIを含有するrhFSを溶解した。rhFXIIIの最大効果は0〜3μgのrhFXIII／mgのrhFbgn（ほぼ生理的レベル）において見られた。しかしながら、3〜74μgのrhFXIII／mgのrhFbgnの生理的濃度を超える濃度は投与量依存的方法で繊維素溶解速度を減少させる続けた（第15図）。この投与量依存的挙動は、非組換え試薬を使用するが、同様な溶解条件を使用して、SiebenlistおよびMosessonにより報告された挙動に類似する。
【００６３】
最近、SiebenlistおよびMosessonは彼らの研究を改良し、そして、FXIIIの濃度に加えて、フィブリンゲルがフィブリノゲンのガンマ鎖を包含するマルチマー（二量体と区別される）の架橋の数を決定すること、およびこれらのマルチマーの架橋がゲルのフィブリン溶解速度を決定することを証明した（SiebenlistおよびMosesson、1994）。これらの結果は、処方緩衝液を変更することによってゲル構造をモジュレートする我々の可能性に意味を付与する。処方緩衝液の選択により、rhFSの繊維素溶解速度に対するrhFXIIIの効果を増減できると、我々は予測する。
【００６４】
抗繊維素溶解剤、例えば、アプロチニンおよびEACAの必要性、およびFXIIIがFSであることを支持するデータの多くは、「強度」および分解速度のin  vitro測定に基づく。in  vivoのFS破損モードは測定が困難であり、一般に報告されていないという事実にかかわらず、これは真実である。in  vitro性質とin  vivo効能との間の直接的相関を確立できるが、この相関を明瞭に行う文献は存在しない。したがって、in  vitroアッセイに加えて、外科的適用におけるrhFSの機能を確認するために、in  vivoアッセイのいくつかの型が必要である。
【００６５】
フィブリンシーラント（FS）は50年間臨床的に使用されてきている。戦場の止血剤として出発すると、FSは神経融着から骨再生のためのマトリックスとして使用までの無数の臨床的適用において適所を見出した。医学におけるFSの使用は、この型の製品の可能性を認識する世界中のわずかの個人により擁護されてきた。FSはヨーロッパ、カナダ国および日本国において使用が承認されたが、医学の主流においてそれ自体をまだ見出していない。多分それは血漿由来産物でありかつ終始一貫した処方をもたないという事実は、その可能性に関する臨床医の見解を曇らせている。
【００６６】
想像されるように、FSの多数の臨床的使用に付随して、動物研究の宿主が出現した。個々の外科医の関心および彼らの臨床的集中点から、これらの動物モデルの多数が発生した。一般に、これらのモデルは他の実験室に輸送されなかった。FSの臨床的適用およびそれらを試験するために使用されてきている動物モデルを、以下に概説する。すべてのこれらのモデルにおいて使用されるFSは血漿由来であった。
【００６７】
タンパク質分解インヒビターの添加およびトロンビンレベルの変化以外に、これらの産物を使用してFS処方についての情報はほとんど、あるいはまったく存在しない。rhFbgn、rhFXIIIおよびrhThrombinの濃度、ならびに緩衝液添加剤を正確に操作する能力は、rhFSの性質を終始一貫してモジュレートする、興味を喚起する機会を提供する。rhFSの臨床的適用の各々は、特注の処方物から利益を受ける。
【００６８】
整形外科
FSは骨形成因子、骨粉末、サンゴ顆粒および骨修復モデルにおける自家格子状骨のための送出装置として有効であった。FSヒト試験は関節間軟骨の修復に成功した。しかしながら、動物における関節間軟骨の修復における構造物の代替物であることは証明されなかった。薬剤送出マトリックスとして使用するとき、この適用は有望であった。いくつかの発表された結果を以下に要約する：
【００６９】
1.  FSは骨修復における担体および骨組みとして作用することができる。ウサギ左右頭蓋形成モデルは、FSとTGF−ベータおよびサンゴ（多孔性炭酸カルシウム）との組合わせを使用する骨形成を促進した（Arnaud他、1994）。
2.  脱イオン化骨粉末とFSとの組合わせは、骨処方物の調製を可能とし、骨粉末の取り扱いを改良し、そしてラット頭蓋冠欠陥軽度における移植片の造形を促進した。FS中のFbgn濃度は30mg／mlであった（Lasa他、1995）。
【００７０】
3.  サンゴ顆粒へのFSの添加は、ウサギ大腿欠陥モデルにおいて骨修復を促進した。2つの商用FSが比較され、それらの一方はPDGFおよびTGF−ベータを含有した。両方の製品は1カ月において骨形成を増強したが、2カ月において成長因子に富んだFSのみが骨修復の有意な増強を示した（Kania他、1998）。
4.  内皮細胞成長因子とFSとの組合わせは、1週後に関節間軟骨の修復における治癒を改善した。12週において、差は見られなかった（Nabeshima他、1995）。
【００７１】
異種たは同族の骨移植片の改造は高い接着強さおよび引張強さをもつrhFSから利益を受けるが、弾性は重要でないようである。しかしながら、腱の外科手術のために、特注のrhFSは高度の弾性および引張強さの両方から利益を受け、これはトロンビン濃度を高くしかつrhFXIIIを最適化して、剛性を適切にするが、動きを可能とすることによって達成することができる。本発明は、このような多様な要件を正確に満たすことを可能とする。
【００７２】
皮膚移植
培養された表皮シートは、重い熱傷後の皮膚回復のために重要な道具である。FSは、特に移植が困難である区域における、移植の実施を増強し、機械的安定性を改良することができる。いくつかの発表された結果を以下に要約する：
1.  FSを適用した後、ヌードマウスにおいて筋肉層への表皮シートを沈着させる。移植が増強された（Xu他、1996）。
2.  本質的に前述したように実施された研究において、FSは移植を増強し、表皮シートの機械的安定性を改良することが示された。組織学的検査により、基底膜の形成順序に対するFSの妨害は示されなかった（Auger他、1993）。
【００７３】
3.  移植部位の感染は皮膚移植片の破損に関係づけられる。FSが感染した部位に対する移植片の付着を回復することを、ラットのモデルは示した（Jab他、1992）。
小さい孔をもつ凝塊を形成し、これにより圧縮に対する抵抗を増加することを、皮膚移植は必要とする。また、高い引張強さおよび接着性は好都合である。高いrhFXIIIおよびrhThrombinの濃度を使用して、本発明のシーラントを調整することができる。あるいは、ある手法のために、組織の再生間の上皮細胞の浸潤を可能とするために、凝塊内の大きい孔は望ましい。これはrhThrombin濃度を低くするが、rhFXIII濃度を高くすることによって達成できるであろう。
【００７４】
止血
多数のモデルにおいて、出血を抑制するFSの能力を試験した。FSは縫合糸からにじみ出を停止し、ならびに肝臓または脾臓の苛酷な損傷後の灌流出血を停止させることが示された。いくつかの発表された結果を以下に要約する：
1.  FSは脾臓外傷のイヌのモデルにおいて止血を達成した。裂創（小さいおよび大きい）、楔形切除および刺傷のすべてをFSで首尾よく修復し、脾臓の保存を可能とした（Kram他、1986）。
【００７５】
2.  ニュージーランド白ウサギにおいて開発されたモデルは、部分的脾切除後の止血剤としてのFSの有効性を例示した。再発性出血は存在ず、10週にわたって完全な治癒が起こった（Kuzu他、1992）。
3.  ラット腎の切片の除去後において、FSにより重度の出血は抑制された。対照の4分に比較して、止血は0.5分で達成された（Raccuia他，1992）。
4.  ブタ心房破裂のモデルにおいて30分間観察したとき、FSは出血を停止させ、緊急医療におけるFSの可能性が示された（Kjaergard他，1995）。
【００７６】
5.  ブタモデルにおいて大腿動脈の裂創からの出血を抑制するために、FS止血包帯をを使用して、病院の設定前において止血を抑制するアジュバントとしての使用を例示した（Larson他，1995）。
特に止血において使用するように調整された本発明の態様において、凝塊の持続性が望ましくないことがあるので、rhFXIIIはほとんど、あるいはまったく必要としないが、急速な凝固を促進するために、高いトロンビン含量が好都合であることがある。
【００７７】
創傷治癒
実際には、FSの任意の臨床的使用は創傷治癒を包含する。フィブリンシーラントの使用は、接着の防止、創傷収縮の減少および皮膚移植の増強に関係づけられてきた。いくつかの発表された結果を以下に要約する：
1.  皮膚移植のラットのモデルにおいて、移植前に適用する場合、FSは完全な厚さの欠陥の創傷収縮を抑制することが示された（Brown他，1992）。
2.  ウサギ子宮角のモデルにおいて、接着はFSにより劇的に減少された（De  Iaco他、1994）。
【００７８】
3.  FSで接着したウサギにおける副甲状腺の上に隆起した左右の皮膚フラップは、創傷排出の有意な減少および皮膚フラップの接合の有意な改善を示した（Bold他，1996）。
4.  ラットの背における皮下ポケットにFSを移植した。FSは生物適合性であることが見出され、情報反応を促進せず、血管および毛管の増加および細胞外基質の増強を示した（RomanosおよびStrub，1998）。
5.  ラットモデルにおける壁側筋層の切除後の腹腔接着は、外科手術後1週に評価したとき、FSにより予防された（LindenbergおよびLauritsen，1984）。
【００７９】
漿液腫の予防
乳房切除、頸部切除、または隆起した皮膚フラップを残す外科手術後における漿液腫の発生は有意な臨床的問題である。FSは漿液腫の形成を予防するとき有効な因子である。いくつかの発表された結果を以下に要約する：
1.  乳房切除モデルを使用して、商用光活性化FSの効能を血液銀行由来FSと比較した。両方は効能を示した（Wang他，1996）。同一群（UVa）は、ヒト乳房切除試験において自家FSの効能を証明した（Moore他，1997）。
【００８０】
2.  ラット乳房切除モデルを使用して、漿液腫体積を減少させるFSの有効性に対するFbgnおよびトロンビン濃度の効果を評価した。統計的に有意でないが、Fbgnおよびトロンビンの両方の濃度の減少とともに、漿液腫体積は減少する傾向が示された。基本的FSは典型的な効能を示した（Sanders他，1996）。
3.  変更された根治頸部解剖のラットモデルにおいて、FSは有効であることが示された。外科手術後5日に、実験動物の10％のみが漿液腫を有し、これに対して対照の85％が漿液腫を有した（Lindsey他，1988）。
4.  漿液腫体積の減少におけるFSの有効性を証明するために、異なる群によりラット乳房切除モデルを再現した。さらに、この研究は、また、外科手術後7日に筋層に対する皮膚フラップの付着の増加を示した（Harada他，1992）。
【００８１】
成長因子および化学療剤の担体
FS凝塊中で繊維の網状組織は、特定の位置に適用できる薬剤送出装置として作用することができる。添加剤はFSの中に「捕捉」されるか、あるいは酵素的フィブリンに架橋することができる。この型の適用は非常に有望であるようである。いくつかの発表された結果を以下に要約する：
1.  移植後9週に評価したラットモデルにおいて、内皮成長因子／FS混合物は大動脈から心臓への部位特異的血管形成を誘発した（Rasol他，1994）。
【００８２】
2.  抗癌剤MMCをFSと複合化させた。マウスモデルにおいて遅い放出、ならびに悪性腫瘍に対する治療効果が認められた。複合体は正常組織に対して安全であった（Yano他，1995）。
3.  FGF−bおよびFSの沈着物が網からの虚血性気道の脈管再生を増加し、こうして気管自己移植片の上皮保存を改善することを示するために、ウサギ自己移植モデルを使用した（Albes他，1994）。
4.  ヌードラットモデルにおいて胸中央脊髄横断面に対するヒトシャウマン（Shawmann）細胞とともに配置するとき、酸性FGF−FS混合物はある神経繊維の再生を支持する（Guest他，1997）。
【００８３】
ラット乳房切除モデルを使用して、rhFbgn、rhThrombinおよびrhFXIIIを含有する合理的に処方されたrhFSがin  vivoにおいて機能的であることを確認した。完全に組換え体のヒトフィブリンシーラント（rhFS）の効能の臨床的証明はこれが最初である。このモデルはよく確立されており、臨床的効能と相関する。このモデルは止血剤、空間充填剤、および皮膚フラップを固定するための接着剤としてrhFSを使用する。さらに、それは急性モデルよりむしろ、慢性モデルである。このモデルはrhFSの効能を試験するために実質的なチャレンジを提供する。実験結果は実施例の中に提示されている。
【００８４】
したがって、要約すると、3つの、精製された、適切に特性決定された、組換え成分から本発明に従い製造されたフィブリンシーラントは機能的産物である。比較アッセイ、トロンボエラストグラフィー（TEG）、および光学密度（OD）測定法により、処方緩衝液の選択がrhFSの機能的性質（およびゲル構造）に有意に影響を与えることを証明することができる。TEG、平行板レオメトリー、および引張接着アッセイにより、rhFXIIIはrhFSの剛性、破断強さ、および接着強さを有意に増加することが証明される。フィブリン溶解アッセイはrhFXIIIがrhFSの分解速度を減少することを証明する。
【００８５】
しかしながら、引張接着試験、およびフィブリン溶解速度に関する文献は、処方緩衝液およびゲル構造を変化させることによってrhFXIIIの有益な効果をモジュレートできることを示唆する。最後に、ラット乳房切除モデルを使用するin  vivo実験において、証明された動物モデルにおけるrhFSの合理的決定された処方の効能が証明される。これは完全に組換え体のフィブリンシーラントの効能の最初の証明である。
【００８６】
下記の非限定的実施例により、本発明をさらに説明する。
1.  吸収を使用するフィブリン濃度の測定
2.  発色活性アッセイを使用するトロンビン濃度の測定
3.  凝固アッセイを使用するトロンビン濃度の測定
4.  ELISAを使用する因子XIII濃度の測定
5.  凝固可能なフィブリノゲン％の測定
6.  エタノール沈降を使用する濃縮フィブリノゲン溶液の調製
7.  圧縮を使用するシネレシスに対する抵抗の測定
【００８７】
8.  トロンボエラストグラフィー（TEG）によるゲル化速度およびゲル性質の測定
9.  光学密度測定法によるゲル化速度およびゲル性質の測定
10.  平行板レオメトリーによるゲル化速度およびゲル性質の測定
11.  プラスミンによるフィブリン溶解速度の測定
12.  フィブリンシーラントの引張接着強さの測定
13.  ラット乳房切除モデル
【００８８】
実施例1．吸収を使用するフィブリン濃度の測定
この方法において、フィブリノゲン濃度を測定するために、フィブリノゲン溶液の吸収を使用する。
参考文献：
1.  Mihalyi  E.、Biochemistry、7（1）：208-223（1968）
材料：
TBS：20mMのTris  pH7.4、120mMのNaCl
rhFibrinogen  TBS中の0.1〜0.6mg／ml
石英キュベット、1cmの通路長さ（Uvonic）
UV／Vis分光光度計
【００８９】
手順：
1.  フィブリノゲン溶液を37℃において5〜30分間融解する。エッペンドルフ遠心機中で14,000×gにおいて5分間遠心する。
2.  処方緩衝液が妨害成分を含有し、分光光度計をブランク化するために合致させることができない場合、TBSに対してフィブリノゲン試料を透析する。
3.  フィブリノゲン溶液を0.1〜0.6mg／mlに希釈して、A280が0.1〜0.9AUの範囲にあるようにする。
4.  分光光度計を処方緩衝液に対してブランク化し、280nmおよび320nmにおける吸収を測定することによって、フィブリノゲン濃度を測定する。［mg／mlのFbgn＝（A280−A320）／1.51］。フィブリノゲン溶液が不安定でありかつ凝集していることを示す濁りの信号について、A320を検査すべきである。
【００９０】
実施例2．発色活性アッセイを使用するトロンビン濃度の測定
この手順はトロンビンのアミド溶解活性についてのアッセイを記載する。405nmにおける吸収の増加を測定することによって、トロンビンの酵素的活性のための合成基質からのp−ニトロアニリンの放出を追跡する。吸収増加速度（v）を同一条件下の標準曲線と比較することによって、トロンビンの定量を達成する。（注：α−トロンビン、β−トロンビンおよびγ−トロンビンのすべては色素源基質に対して活性であると報告されるが、それらの凝固活性は変化する。）
参考文献：
S SonderおよびJ Fenton II,″Thrombin Specificity with Tripeptide Chromogenic SubstratesT、Clinical Chem.、 vol.32、No.6,1986。
【００９１】
材料：
TBS／BSA緩衝液：20mMのTris  pH7.4、120mMのNaCl、1mg／mlのBSA(Sigma)
rhFibrinogen標準（HT  1002a：Enzyme  Research  Laboratories）貯蔵使用液、25mMのTris  pH7.4、50％のグリセロール中の−80℃におけるトロンビンの希釈物。500U／mlにおける100μl／バイアルを示唆する。
Spectrozyme  TH基質（H−D−HHT−L−Ala−L−Arg−pNA．2AcOH：American  Diagnostica）
10％の酢酸溶液
96ウェルのマイクロタイタープレート（Nunc  Maxisorp）
96ウェルのマイクロタイタープレートのプレートリーダー（Molecular  Devices）
【００９２】
手順：
1.  毎日、フリーザーから使用標準希釈物のバイアルを取出し、所望の標準曲線の最高標準濃度にTBS／BSAで希釈する。（すなわち、20μg／ml：31.7μlの貯蔵標準＋968μlのTBS／BSA緩衝液）
2.  合計少なくとも8標準についてこの標準を使用して1：2連続希釈物をつくる：100μlの標準＋100μlの緩衝液。
3.  必要に応じて標準曲線の範囲内に入るように、TBS／BSA緩衝液中で試料および対照を希釈する。各試料の2または3つの希釈物を一般に含める。
【００９３】
4.  90μl／ウェルの試料、標準、対照および緩衝液のブランクを二重反復実験において96ウェルのマイクロタイタープレートに添加する。
5.  50mMのSpectrozyme  TH色素形成基質を10mlのdH2O中に溶解する。5mlのプレートを必要とする。
6.  50μl／ウェルの基質をプレートに添加する。
7.  A405をほぼ5分間または必要に応じて反応速度論的に読む。あるいは、色を7〜10分間発生させ、50μl／ウェルの10％酢酸で反応を停止させた後、A405において読む。次いで濃度／A405をプロットすることによって、線形標準曲線を構成することができる。U/mlトロンビン活性として報告する。反応速度論的アッセイのために、線形曲線を濃度／初期の、線形速度点（△mOD／分）に適合させ、U/mlトロンビン活性として報告する。
【００９４】
実施例3．凝固アッセイを使用するトロンビン濃度の測定
トロンビン分解産物は、低い凝固活性を示すと同時にアミド溶解（色素形成）活性において同一活性を有する。したがって、最終産物のトロンビンにおいて凝固活性をアッセイすることが必要である。マニュアルST−4凝塊検出計装（American  Bioproductsにより販売されている）を使用して、簡単なアッセイを開発した。この計器は37℃において個々の使い捨てキュベットを使用し、凝固終点を電気機械的に測定する。
【００９５】
各キュベットに小さい鉄ビーズを入れ、電磁場の交互する極性により試料）トロンビン）を通して鉄ビーズをスウィングさせる。一定速度で、運動は一定に止まる。フィブリノゲンを添加し、凝固の形成を開始させると、粘度は増加し、これにより球の動きは減少する。アルゴリズムは振動の振幅の変動を使用して、初期凝固時間を測定する。血漿試料についての凝固試験のために臨床実験室において計器を主として使用するが、これはこの型のアッセイに容易に適合される。
【００９６】
材料：
rhFibrinogen標準（HT  1002a：Enzyme  Research  Laboratories）貯蔵使用液、25mMのTris  pH7.4、50％のグリセロール中の−80℃におけるトロンビンの希釈物。500U／mlにおける100μl／バイアルを示唆する。
HFフィブリノゲン（カタログ＃FIB3；PgおよびvWFおよびFn消耗：Enzyme  Research  Labs）
TBS（20mMのTris、120mMのNaCl、pH7.4）
TBS＋5mMのCaCl2＋0.1％のBSA(Sigma)
ST-4凝固検出システム（American  Bioproducts）
【００９７】
一般的手順：
1.  毎日フィブリノゲン溶液を0.25mg／mlに調製する。37℃に予備加温する。
2.  トロンビン試料および標準希釈物を2.5μg／ml〜0.078μg／ml（ほぼ7.7〜0.1U/ml）の範囲に調製する。
3.  「フィブリノゲン」試験モードで実験するように計器を構成する。（より柔軟な凝固終点を検出する）
4.  100μlのトロンビン試料をキュベットに添加する。37℃において2分間インキュベートする。
5.  100μlのフィブリノゲンを自動化ピペットで添加して、タイマーおよび反応を開始する。凝固までの秒を測定する。
6.  log／log標準曲線を構成し、トロンビンの試料濃度を計算する。
【００９８】
実施例4．ELISAを使用する因子XIII濃度の測定
このプロトコルは標準FXIII  ELISAの修正であり、捕捉のために組換えFXIIIに対して発生させたポリクローナルAb［A2］を使用し、そして検出のために同一pAb（ビオチニル化）を使用する。
【００９９】
材料：
ウサギ抗FXIIIpAb（ZGIlot  D4679，2.81mg／ml）
ビオチニル化ウサギ抗FXIIIpAb（0.891mg／ml）
ストレプトアビジン−HRP(Pierce＃21124）
rhFXIII標準（バッチ9×）
OPD基質(Sigma  P8787）
30％の過酸化水素溶液
【０１００】
ELISA  A（被覆溶液）：0.1MのNa2CO3pH9.6
ELISA  B（ブロッキング溶液）：PBS、0.05％のTween 20、1％のBSA
ELISA  C（洗浄溶液）：PBS、0.05％のTween 20
OPD希釈物（色発生）：0.1Mのクエン酸塩pH5.0（313mlの0.1Mのクエン酸ナトリウム＋187mlの0.1Mのクエン酸）
停止溶液：1MのH2SO4
96ウェルのELISAプレート（Nunc  Maxisorp）
96ウェルのマイクロタイタープレートのプレートリーダー。（Molecular  Devices）
【０１０１】
手順：
1.  ウサギ抗抗FXIIIpAb（ZGI  ロットD4679、2.81mg／ml）をELISA  A（10ml／プレート）の最終濃度に希釈する。
2.  100μl／ウェルをELISAプレート（Nunc  Maxisorp）に添加し、4℃において一夜インキュベートする。
3.  ELISA  C（200μl／ウェル、20ml／プレート／洗浄）でウェルを5×洗浄する。
【０１０２】
4.  プレートをブロックするために、200μl／ウェル（20ml／プレート）ELISA  Bを添加し、37℃において震盪しながら少なくとも2時間インキュベートする。
5.  ELISA  C（200μl／ウェル）でウェルを5×洗浄する。
6.  試料および標準（100μl／ウェル）を添加し、37℃において震盪しながら少なくとも2.5時間インキュベートする。
【０１０３】
10μg／mlのFXIIIをELISA  BまたはFXIII−／＋血漿の中に添加することによって、標準溶液を調製した。（アッセイは非常に感受性であるので、PBSまたは水中で100〜200μg／mlの中間貯蔵液をつくり、そして最終希釈前にA280（c＝1.47）を使用して濃度を確認する。2つの1：2連続希釈物（100μl＋1900＋1900μl）をつくってFXIII濃度をアッセイの使用範囲にし、次いで7×1:2連続希釈物（200μl＋200μl）をつくって標準曲線を構成する。（1：400〜1：25,600はウェル中の25ng／ml〜0.4ng／mlに対応する）。すべての希釈物をELISA  B中でつくる。日常的使用のために、我々はしばしば未知の3希釈物（例えば、1：500、1：1000、1：2000）を使用し、少なくとも1つがアッセイの線形応答範囲内に存在するようにする（約1〜10ng／ml）。
【０１０４】
7.  ELISA  C（200μl／ウェル）でウェルを5×洗浄する。
8.  ビオチニル化ウサギ抗FXIIIpAb（0.891mg／ml）をELISA  B中で1μg／mlの最終濃度に希釈し、100μl／ウェル（10ml／プレート）を添加し、震盪しながら37℃において1時間インキュベートする。
9.  ELISA  C（200μl／ウェル）でウェルを5×洗浄する。
10.  ストレプトアビジン−HRP(Pierce  ＃21124）をELISA  B中で1μg／mlの最終濃度に希釈し、100μl／ウェル（10ml／プレート）を添加し、震盪しながら37℃において45分間インキュベートする。
【０１０５】
11.  ELISA  C（200μl／ウェル）でウェルを5×洗浄する。
12.  OPD基質を希釈し（12.5mlのOPD希釈物中の1タブレット［Sigma  P8787］）、使用直前に10μlの30％H2O2を添加する。
13.  100μl／ウェル（10ml／プレート）OPD溶液をプレートに添加し、発色（黄色／オレンジ色）について監視する。
14.  100μl／ウェルの1MのH2SO4の添加により発色を停止させる（アッセイは発色までに約1分〜45秒を必要とする）。
15.  490nmにおいてプレートを読む。
【０１０６】
実施例5．凝固可能なフィブリノゲン％の測定
この方法は、凝固前の溶液中のFbgnの量をトロンビン添加後に残る非凝固タンパク質の量および洗浄した凝塊中のFbgnの量と比較して、凝塊の中に組込まれたもとのFbgnの百分率を決定する。高い品質のフィブリノゲン調製物は95％またはそれより多くが凝固可能であり、溶液中のタンパク質は正確に測定するためには少な過ぎるので、非組込みタンパク質の測定に基づく値は正確ではない。Fbgnが異なる緩衝化生理食塩水（TBSまたはPBS）またはアルカリ性尿素溶液中に溶解するかどうかに依存して、Fbgnの吸光係数は異なることに注意すべきである。
【０１０７】
参考文献：
1.  Blomback，BirgerおよびBlomback，Margareta、ARKIV  FOR  KEMI  Band  10  nr．29，1956。
2.  Mihalyi  E，Biochemistry，7（1）：208−223（1968）。
【０１０８】
材料：
0.2NのNaOH中の40％の尿素（新しく調製した）
15mMのリン酸塩緩衝液pH6.5、75mlのNaCl
TBS：20mMのTris  pH7.4、120mMのNaCl
rhFibrinogen  TBS中の1.5〜3.0mg／ml
100NIHU/mlのhThrombin（リン酸塩緩衝液中の500NIH貯蔵液から希釈した）
150mlのNaCl
石英キュベット
UV−Vis分光光度計
【０１０９】
手順：
1.  280nmおよび320nmにおける吸収を測定することによって試験すべきFbgnの濃度を測定する［mg／mlのFbgn＝（A280−A320）／1.51］。必要に応じて濃度をTBSで1.5〜3.0mg／mlに調節する。
【０１１０】
2.  尿素／NaOH溶液中の出発Fbgn溶液の吸収を測定する。100μlのFbgn溶液を1mlの尿素／NaOH試薬に添加する。282nmにおける吸収を測定する（可能ならば10分以内に）。＊［mg／mlのFbgn＝（A280−0.01／0.148］波長および吸光係数の変化に注意すべきである。
＊  10分以内に読む場合、吸収／濃度の勾配はゼロを通過するであろう。測定は4時間までに有効であるが、30分後、線はゼロから0.01AUだけオフセットするであろう。吸光係数についての値0.148は、16.17の1％の吸光係数に基づいて1：11の希釈についての相関ファクターを含む。吸光係数はコーン画分I（EtOH沈降物）またはより大きい純度i尿素／NaOHからのFbgnに適当である。
【０１１１】
3.  1mlの出発Fbgn溶液に下記の成分を添加する：2mlの15mMのリン酸塩緩衝液pH6.5、75mMのNaClおよび0.15mlの100NIH  U/mlのトロンビン溶液。
4.  この溶液を室温において2時間凝固させる。
5.  渦形成し、小さいスパチュラでプレスして上清を排出することによって、凝固を離液（凝固）する。
【０１１２】
6.  上清をデカントし、工程1におけるようにタンパク質濃度を測定する［mg／mlのFbgn＝（A280−A320）／1.51］。
7.  凝塊を0.15MのNaClで3回洗浄する。
8.  凝塊を1mlの尿素／NaOHおよび100μlのTBS中に溶解する。凝塊が溶解した後、工程2に記載するように濃度を測定する［mg／mlのFbgn＝（A280−0.01／0.148］。
9.  上清の中に残留する非凝固Fbgn（工程6）および凝塊中のFbgn（工程8）の濃度は、出発溶液中のFbgnの100％を説明するであろう。
【０１１３】
実施例6．エタノール沈降を使用する濃縮フィブリノゲン溶液の調製
エタノール（EtOH）および低い温度を使用する沈降を使用して、in vivoまたはin  vitro実験のためのフィブリンシーラントの製造に十分に希薄フィブリノゲン溶液を濃縮する。フィブリンシーラントの多数のin  vivoモデルは、フィブリノゲンの最終濃度が20〜30mg／mlの範囲であることが必要である。トロンビン溶液との混合前に、これは2×使用溶液中の40〜60mg／mlのフィブリノゲンに変わる。EtOH沈降を使用して、60〜70mg／mlのフィブリノゲンの濃度を日常的に得ることができる。
他の沈降法（グリシンまたは硫酸アンモニウム）を利用可能であるが、沈降剤が容易に除去されるので、EtOHを使用する沈降はより簡単でありかつより迅速である。
【０１１４】
参考文献：
Dahlstrom  KK他、Plast  Reconstr  Surg  1992；89：968−72。
材料：
95％のEtOH（EtOHは添加剤／汚染物質を含むべきではない）
TBSz＊透析緩衝液：（120mMのNaCl、20mMのTris、0.02％のNaN3pH7.4）
ブルックフィールドTC500冷却浴または−3.8℃のMeOH／H2O／ドライアイス浴
透析管：10〜14,000分子量のカットオフ
冷却した遠心機
【０１１５】
手順：
1.  280nmおよび320nmにおける吸収を測定することによって濃縮すべきフィブリノゲンの濃度を測定する［mg／mlのFbgn＝（A280−A320）／1.51］。
2.  室温において、おだやかに渦形成／混合しながらEtOHをフィブリノゲン溶液に10％v／vのEtOHの最終濃度に滴下する。
3.  フィブリノゲンを−3.8℃の浴の中に35分間入れる。ドライアイス浴を使用する場合、温度を最小の変動で維持する。沈降プロセスの間に、1本またはそれ以上の管を混合または混乱させない。
【０１１６】
4.  溶液を−3℃、2,500×gにおいて20分間遠心する。
5.  上清をデカントし、280nmおよび320nmにおける吸収を測定することによって非沈降フィブリノゲンの濃度を測定する［mg／mlのFbgn＝（A280−A320）／1.51］。＞90％の沈降効率は典型的である。
6.  ペレットを透析管の中に入れる。37℃に加温し、最小量のTBSz＊を数時間かけて滴下してペレットを溶解する。ペレットが溶解するまで、一般に一夜、TBSz＊に対して透析する（異なる源からのフィブリノゲンはその挙動を変化させることがある）。
【０１１７】
7.  溶解したフィブリノゲンを収集し、280nmおよび320nmにおける吸収を測定することによって濃度を測定する［mg／mlのFbgn＝（A280−A320）／1.51］。70％の最後回収率は典型的である。
＊  材料をin  vitroで使用する場合、NaNO3を省略し、EtOH沈降前にフィブリノゲンを滅菌濾過し、無菌の緩衝液および組織培養技術を使用して、層状空気流ですべての解放操作を実施する。
【０１１８】
実施例7．圧縮を使用するシネレシスに対する抵抗の測定
圧縮は、遠心力に暴露したとき、フィブリンシーラントの圧縮性を測定する。圧縮性は、遠心後にゲルにより保持されたもとの体積の百分率として表される。保持されるもとの体積の百分率が高いほど、圧縮（シネレシス）に対する抵抗は大きい。一般に、圧縮性に対する抵抗は高い弾性率、および高い引張強さと相関する。
【０１１９】
このアッセイにおいて、2つの溶液がFbgn、FXIII、トロンビン、およびCaCl2の濃度に関して2×であり、かつ添加剤（塩、糖）の濃度において1×であるように、2つの溶液：フィブリノゲン＋／−FXIII、およびトロンビン＋CaCl2を調製する。早期の凝固を回避しかつ溶液を混合可能としかつ管の中にピペットで入れることができるようにするために、トロンビン濃度を一般に3〜5U/ml（最終濃度）以下に維持しなくてはならない。
【０１２０】
参考文献：
Dhall他、Thromb  Haemostasis  1976；35：737−45。
材料：
TBSz（20mMのTris-HCl、120mMのNaCl、0.02％のNaN3）
rhFibrinogen溶液（TBSz中の6mg／ml＋2×濃度のrhFXIII＋1×濃度の添加剤）
rhThrombin溶液（TBSz中の2U/ml＋40mMのCaCl2および1×濃度の添加剤）
レクチン、または非粘着性煮沸スプレー（PAM、American  Home  Foods）
エッペンドルフ遠心機
【０１２１】
手順：
1.  280nmおよび320nmにおける吸収を測定することによって、rhFibrinogenおよびrhFXIIIの濃度を測定する［mg／mlのrhFbgn＝（A280−A320）／1.51］および［mg／mlのrhFXIII＝（A280−A320）／1.49］。
2.  レクチンまたはPAMでエッペンドルフ管を被覆する（1.5または0.5ml）。
3.  フィブリノゲン溶液を調製する。
4.  トロンビン溶液を調製する。1％のPEGを含有するTBSz中のrhThrombinの中間の希釈物（典型的には80U/ml）をつくる。各測定のために新鮮な2×rhThrombin使用溶液を調製する。
5.  溶液を37℃の水浴中で5分間加温する。
【０１２２】
6.  等しい体積（典型的には各々250μl）のフィブリノゲン溶液およびトロンビン溶液を混合し、前もって秤量したレクチン処理した管の中にピペットで入れる。
7.  管を37℃の水浴中で1時間インキュベートする。
8.  室温においてエッペンドルフ遠心機中で8,000×g（10,000rpm）において45秒間管を遠心する。
9.  26gの針をもつ前もって秤量した1ccのツベルクリン注射器で圧縮された試料の上の流体を除去し、再秤量する。
10.  保持されたもとの体積％＝100×（非圧縮ゲルの重量−流体の重量）／非圧縮ゲルの重量を計算する。
【０１２３】
実施例8．トロンボエラストグラフィー（TEG）によりゲル化速度およびゲル性質の測定
TEGにおいて、振動カップおよび凝塊の中に埋め込まれた静止ピンにより、発生する凝塊の剪断弾性を測定する。「剛性」、凝固時間およびゲル化速度を測定する。このアッセイにおいて、2つの溶液がFbgn、FXIII、トロンビン、およびCaCl2の濃度に関して2×であり、かつ添加剤（塩、糖）の濃度において1×であるように、2つの溶液：フィブリノゲン＋／−FXIII、およびトロンビン＋CaCl2を調製する。早期の凝固を回避しかつ溶液を混合可能としかつ管の中にピペットで入れることができるようにするために、トロンビン濃度を一般に3〜5U/ml（最終濃度）以下に維持しなくてはならない。
【０１２４】
材料：
TBSz（20mMのTris-HCl、120mMのNaCl、0.02％のNaN3）
rhFibrinogen溶液（TBSz中の6mg／ml＋2×濃度のrhFXIII＋1×濃度の添加剤）
rhThrombin溶液（TBSz中の2U/ml＋40mMのCaCl2および1×濃度の添加剤）
鉱油
トロンボエラストグラフ（Haemoscope  Corp．、イリノイ州モートングローブ）
【０１２５】
手順：
1.  280nmおよび320nmにおける吸収を測定することによって、rhFibrinogenおよびrhFXIIIの濃度を測定する［mg／mlのrhFbgn＝（A280−A320）／1.51］および［mg／mlのrhFXIII＝（A280−A320）／1.49］。
2.  フィブリノゲン溶液を調製する（各TEG実験のために225μlを使用する）。
3.  トロンビン溶液を調製する。1％のPEGを含有するTBSz中のrhThrombinの中間の希釈物（典型的には80U/ml）をつくる。各測定のために新鮮な2×rhThrombin使用溶液を調製する（各TEG実験のために225μlを使用する）。
4.  溶液を37℃の水浴中で5分間予熱する。
【０１２６】
5.  200μlのトロンビン溶液をエッペンドルフ管に添加する。TEG実験を開始し、200μlのフィブリノゲン溶液を添加し、トロンビンレベルに依存して4〜6×混合する。
6.  逆ピペッティングを使用して泡を回避して、TEGカップの中に360μlの混合シーラントを急速にピペットで入れる。
7.  数滴の鉱油をカップの各側面に添加して、実験の間にシーラントを乾燥して保持する。必要に応じて930〜120分間データを収集する）。
8.  ゲル化時間（K）、ゲル化速度（角度）、および剛性（振幅）をEGソフトウェアにより計算し、報告する。
【０１２７】
実施例9．光学密度測定法によりゲル化速度およびゲルの性質の測定
フィブリノペプチドのトロンビン誘導解放後、フィブリンモノマーの会合はゲル化に導き、これは分光光度測定により経時的光学密度（濁り度）として追跡可能である。ゲル化時間、凝塊形成速度および最大ODを測定することができる。ODが高いほど、フィブリン繊維は太くかつゲルは「より粗大」である。
【０１２８】
このアッセイにおいて、2つの溶液がFbgn、FXIII、トロンビン、およびCaCl2の濃度に関して2×であり、かつ添加剤（塩、糖）の濃度において1×であるように、2つの溶液：フィブリノゲン＋／−FXIII、およびトロンビン＋CaCl2を調製する。早期の凝固を回避しかつ溶液を混合可能としかつ管の中にピペットで入れることができるようにするために、トロンビン濃度を一般に3〜5U/ml（最終濃度）以下に維持しなくてはならない。アッセイを開始するために、2つの溶液を等しい体積で混合し、そして試料のODを時間の関数として測定する。
【０１２９】
材料：
TBSz（20mMのTris-HCl、120mMのNaCl、0.02％のNaN3）
rhFibrinogen溶液（TBSz中の6mg／ml＋2×濃度のrhFXIII＋1×濃度の添加剤）
rhThrombin溶液（TBSz中の2U/ml＋40mMのCaCl2および1×濃度の添加剤）
石英キュベット＊（Uvonic）
UV−Vis分光光度計（Hewlett  Packerd  8452A  Diode  Array分光光度計または同様な計装）
＊  フィブリノゲン濃度が0.2mg／mlである場合、1cmの通路長さを有するキュベットを使用することができる。濃度が3.0mg／mlのFbgnに増加する場合、1mmの通路長さを有するキュベットを使用することができる。
【０１３０】
手順：
1.  280nmおよび320nmにおける吸収を測定することによって、rhFibrinogenおよびrhFXIIIの濃度を測定する［mg／mlのrhFbgn＝（A280−A320）／1.51］および［mg／mlのrhFXIII＝（A280−A320）／1.49］。
2.  溶液の高さが光路より上に存在するように、キュベットにおいて必要な体積を決定する。これは各測定に必要な各溶液の体積である。
3.  フィブリノゲン溶液を調製する。
【０１３１】
4.  トロンビン溶液を調製する。1％のPEGを含有するTBSz中のrhThrombinの中間の希釈物（典型的には80U/ml）をつくる。各測定のために新鮮な2×rhThrombin使用溶液を調製する。
5.  溶液を37℃の水浴中で5分間予熱する。
6.  TBSz（＋存在する場合1×添加剤）を含有する分光光度計をブランク化する。
【０１３２】
7.  フィブリノゲン溶液およびトロンビン溶液を1：1で混合する。フィブリノゲン溶液をエッペンドルフ管に添加し、等しい体積のrhThrombin溶液を添加し、ピペットで4〜6×混合する。逆ピペッティングを使用して、必要な値を分光光度計中のキュベットの中に小出しする。溶液が混合されるとすぐに、読みを開始する。350〜600波長において経時的に吸収（OD）を時間の関数（ほぼ2秒各に）測定する。合計のモニター時間は、実験の終点、および凝固パラメーターを変更ことがある添加剤に依存するであろう（典型的には10分）。
【０１３３】
実施例10．平行板レオメトリーによるゲル化速度およびゲルの性質の測定
レオメーターは、振動する円板によりゲルを発生する粘弾性を測定する。ゲル構造が損傷されないように、非常に小さいレベルの変形（歪％）において時間依存的測定を行うことができる。さらに、ゲルが破断して凝着強さが測定されるまで、変形レベル、結局加えた力（応力）の量を増加させることができる。
【０１３４】
このアッセイにおいて、2つの溶液がFbgn、FXIII、トロンビン、およびCaCl2の濃度に関して2×であり、かつ添加剤（塩、糖）の濃度において1×であるように、2つの溶液：フィブリノゲン＋／−FXIII、およびトロンビン＋CaCl2を調製する。トロンボエラストグラフと異なり、平行板レオメーターは、完全な使用濃度（約30mg／mlのフィブリノゲン、最終濃度）においてフィブリンシーラントの性質を測定することができる。早期の凝固を回避しかつ溶液を混合可能としかつ管の中にピペットで入れることができるようにするために、トロンビン濃度を一般に3〜5U/ml（最終濃度）以下に維持しなくてはならない。
【０１３５】
材料：
TBSz（20mMのTris-HCl、120mMのNaCl、0.02％のNaN3）、
TBSz＋1％のPEG−8000（Fluka  81288）
rhFibrinogen溶液（TBSz中の6mg／ml＋2×濃度のrhFXIII＋1×濃度の添加剤）
rhThrombin溶液（TBSz中の2U/ml＋40mMのCaCl2および1×濃度の添加剤）
CSL2−500レオメーター
測定の間に試料を乾燥して保持するための溶媒トラップを有する、2cmのステンレス鋼の平行板形状寸法
【０１３６】
手順：
1.  レオメーターを37℃、ゼロに平衡化させ、ギャップを100μmに設定する。計装が37℃に平衡化した後、再ゼロにし、ギャップおよびギャップを充填する体積を相関することを確認し、そうでなければ再ゼロにする。
2.  rhFbgnを37℃において10分間融解し、エッペンドルフ遠心機中で14,000rpmにおいて5分間遠心し、そして280nmおよび320nmにおける吸収を測定することによって、rhFibrinogenおよびrhFXIIIの濃度を測定する［mg／mlのrhFbgn＝（A280−A320）／1.51］および［mg／mlのrhFXIII＝（A280−A320）／1.49］。
【０１３７】
3.  フィブリノゲン溶液を調製する（各TEG実験のために20μlを使用する）。
4.  トロンビン溶液を調製する。1％のPEGを含有するTBSz中のrhThrombinの中間の希釈物（典型的には80U/ml）をつくる。各測定のために新鮮な2×rhThrombin使用溶液を調製する（各TEG実験のために20μlを使用する）。
5.  溶液を37℃の水浴中で5分間予熱する。
6.  エッペンドルフ管に20μlのトロンビン溶液を添加する。
TBSz（＋存在する場合1×添加剤）を含有する分光光度計をブランク化する。
【０１３８】
7.  20μlのフィブリノゲン溶液を添加し、4〜6×混合し、レオメーターの固定された下の板の中に32μlをピペットで入れる。実験を開始する。下の板は昇し、FSは固定された下の板と振動する上の板との間のギャップを正確に充填する。典型的な設定は次の通りである：2cmの平行板、100μmのギャップ、37℃、30分間の１％の歪の1Hzの振動、次いでゲルが破断するまでの絶えず増加するトルク（および歪％）の振動。弾性率：G’（Pa）および損失弾性率：G”（Pa）、30分における、および破断点振動応力（Pa）を報告する。
【０１３９】
実施例11．プラスミンによりフィブリン溶解速度の測定
ゲル構造およびフィブリンシーラントの分解速度に対する処方変数の変化の効果を研究するために、フィブリン溶解速度を使用する。一般に、より遅いin  vitro溶解速度は、より遅いin  vivo分解速度と相関する。フィブリンゲルを調製し、希薄血漿溶液の中に懸濁させ、おだやかに揺動させる。アッセイの開始において、プラスミン以外の可溶性タンパク質の試料中の存在は無視可能である。ゲルがプラスミンにより分解されるとき、フィブリンの可溶性フラグメントが解放され、これらは、ゲルが完全に溶解した後、溶液の吸収により測定可能である。
【０１４０】
このアッセイにおいて、2つの溶液がFbgn、FXIII、トロンビン、およびCaCl2の濃度に関して2×であり、かつ添加剤（塩、糖）の濃度において1×であるように、2つの溶液：フィブリノゲン＋／−FXIII、およびトロンビン＋CaCl2を調製する。早期の凝固を回避しかつ溶液を混合可能としかつ管の中にピペットで入れることができるようにするために、トロンビン濃度を一般に3〜5U/ml（最終濃度）以下に維持しなくてはならない。
【０１４１】
参考文献：
KR  SeibenlistおよびMW  Mosesson、J  Biol  Chem（1994）45（11）、28418−28419。
MW  Edwards他、Fibrinolysis（1993）7、211−216。
【０１４２】
材料：
TBSz（20mMのTris-HCl、120mMのNaCl、0.02％のNaN3）、
rhFibrinogen溶液（TBSz中の6mg／ml＋2×濃度のrhFXIII＋1×濃度の添加剤）
rhThrombin溶液（TBSz中の2U/ml＋40mMのCaCl2および1×濃度の添加剤）
溶解緩衝液（50mMのTris-HCl、pH8.6、10mMのCaCl2）
エッペンドルフ管
1cmの通路長さの石英キュベット（Uvonic）
UV−Vis分光光度計（Hewlett  Packerd  8452A  Diode  Array分光光度計または同様な計装）
【０１４３】
手順：
1.  280nmおよび320nmにおける吸収を測定することによって、rhFibrinogenおよびrhFXIIIの濃度を測定する［mg／mlのrhFbgn＝（A280−A320）／1.51］および［mg／mlのrhFXIII＝（A280−A320）／1.49］。
2.  フィブリノゲン溶液を調製する（各TEG実験のために20μlを使用する）。
3.  トロンビン溶液を調製する。1％のPEGを含有するTBSz中のrhThrombinの中間の希釈物（典型的には80U/ml）をつくる。各測定のために新鮮な2×rhThrombin使用溶液を調製する。
【０１４４】
4.  溶液を37℃の水浴中で5分間予熱する。
5.  エッペンドルフ管中で等しい体積（典型的には各20μl）のフィブリノゲン溶液およびトロンビン溶液を混合する。
6.  37℃の水浴中で一夜管をインキュベートする。
7.  スパチュラを使用して、最小の歪みで各管中のゲルを注意して解放させる。
8.  1.2mlの8μg／ml（ほぼ0.2cu／ml）のプラスミン溶液を各管に添加する。（添加するプラスミン溶液の体積は、溶解されているフィブリンの量に依存する。理想的には、完全な溶解後の溶液の吸収は、希釈しないで、約0.9AUである。）
【０１４５】
9.  37℃において管をおだやかに揺動して、ゲルを自由に浮かせて保持する。溶解速度はプラスミンに暴露されるゲルの表面積に依存するので、ゲルが自由に浮かない場合、測定は無効であろう。
10.  特定した時点において280nmおよび320nmにおいて吸収を測定する。
11.  ゲルが完全に溶解した後、280nmおよび320nmにおいて吸収を測定する。
12.  各時間における溶解％を計算する：溶解％＝100×（A280−A320）時間t／（A280−A320）完全な溶解
【０１４６】
実施例12．フィブリンシーラントの引張接着強さの測定
2つのインターロックするステンレス鋼ジグの対向する表面をシーラントが付着する物質（被着体）でカバーすることによって、フィブリンシーラントの引張接着強さを測定する。これらの表面をスペーサーで分離して、既知の体積のシーラントが2つの被着体の間のギャップを充填するようにする。フィブリンシーラントを被着体の間に配置し、ゲル化させる。ゲル化後、インストロン材料試験装置上の取付け定着物の中にジグを配置する。次いでジグを一定速度で引き離し、シーラントが破損しかつジグが分離するまで、発生した力を測定する。
【０１４７】
このアッセイにおいて、2つの溶液がFbgn、FXIII、トロンビン、およびCaCl2の濃度に関して2×であり、かつ添加剤（塩、糖）の濃度において1×であるように、2つの溶液：フィブリノゲン＋／−FXIII、およびトロンビン＋CaCl2を調製する。このアッセイは、完全な使用濃度（約30mg／mlのフィブリノゲン、最終濃度）においてフィブリンシーラントの性質を測定することができる。早期の凝固を回避しかつ溶液を混合可能としかつジグの中にピペットで入れることができるようにするために、トロンビン濃度を一般に3〜5U/ml（最終濃度）以下に維持しなくてはならない。
【０１４８】
材料：
TBSz（20mMのTris-HCl、120mMのNaCl、0.02％のNaN3）、
TBSz＋1％のPEG−8000（Fluka  81288）
rhFibrinogen溶液（TBSz中の6mg／ml＋2×濃度のrhFXIII＋1×濃度の添加剤）
rhThrombin溶液（TBSz中の2U/ml＋40mMのCaCl2および1×濃度の添加剤）
インストロン4501型材料試験装置
カスタムステンレス鋼引張ジグ（2cmの直径）および取付け定着物
5分のエポキシ（Devcon）
0.005”厚さの仕上げシラスティックシート（Dow  Corning）、クロロホルム中で6×抽出し、フード中で乾燥ONした。
【０１４９】
手順：
1.  5分のエポキシを使用し、シラスティックの2cmのディスク（被着体）をステンレス鋼ジグに接着する。少なくとも30分間硬化させ、ジグを37℃に平衡化させる。
2.  rhFbgnを37℃において10分間融解し、エッペンドルフ遠心機中で14,000rpmにおいて5分間遠心し、そして280nmおよび320nmにおける吸収を測定することによって、rhFibrinogenおよびrhFXIIIの濃度を測定する［mg／mlのrhFbgn＝（A280−A320）／1.51］および［mg／mlのrhFXIII＝（A280−A320）／1.49］。
【０１５０】
3.  フィブリノゲン溶液を調製する（各ジグのために20μlを使用する）。
4.  トロンビン溶液を調製する。1％のPEGを含有するTBSz中のrhThrombinの中間の希釈物（典型的には80U/ml）をつくる。各測定のために新鮮な2×rhThrombin使用溶液を調製する（各ジグのために20μlを使用する）。
5.  溶液を37℃の水浴中で5分間予熱する。
6.  前もって加温したジグの中にスペーサーを配置する。典型的には、ジグを6の組で調製し、3組（n＝18）を各条件について試験する。
【０１５１】
7.  エッペンドルフ管に20μlのトロンビン溶液を添加する。
8.  20μlのフィブリノゲン溶液を添加し、4〜6×混合し、32μlを下部のジグ上にピペットで入れ、上部のジグをシーラント上に配置し、37℃において30分間インキュベートする。典型的な日常的負荷において、次いで3組の6ジグを30分のインキュベーション時間で10分間隔で試験する。
【０１５２】
9.  インキュベーション後、一度にジグ1をインストロンの中に入れ、0.5mm／分の速度で引き離す。
10.  試験後、各ジグを不完全なギャップの充填の不整合の徴候について視的に検査する。可視の傷をもつ試料をそれ以上の分析から排除する。
11.  得られた最大力／シーラントの表面積（g／cm3）として極限引張強さを報告する。
【０１５３】
実施例13．ラット乳房切除モデル
このモデルはW  Spotnitx他（バージニア大学）により本来開発され、擁護された。雄の体重320〜3あ70gのSpraque-Dawleyラットをペントバルビタールナトリウムで麻酔させた。胸骨ノッチから剣状突起までの中線切開を形成した。左胸筋から皮膚を分離し、皮下ポケットをつくった。胸骨中線のちょうど左に沿って切開を形成した。胸筋を後退させ、腋窩を露出させた。
【０１５４】
リンパ組織および節（2〜3）を切除し、次いで胸筋を取出した。出血が起こる場合、血管を4−0絹縫合糸で結合した。皮膚フラップの下面を＃22メスで崩壊させて（60回の引っ掻き）皮下リンパ血管系に外傷を与えた。次いでフィブリンシーラント（1.2ml）またはベヒクルをポケットに適用し、皮膚の下面および肋骨郭に適用した。連続的縫合糸、次いで中断した縫合糸を使用して、皮膚を4−0絹で閉じた。動物を5日後に殺し、流体を吸引した。腔を開いて残留する流体について検査し、組織病理学的評価のために収集した。
【０１５５】
モデルをまず最適化し、血漿由来FbgnおよびrhFbgnを使用して調製したFSを用いて試験した。パイロット実験において、FSは漿液腫体積を5.9ml±3.2〜1.5ml±1.4（p＜0.0008）に有意な減少させた。UVa群の経験と異なり、創傷の裂開は動物において観察されなかった。これは我々のモデルにおける縫合技術の変更に寄与し、Harada他、1992が報告するものに類似した。
【０１５６】
TBS＋4.5％のスクロースがrhFSのために処方緩衝液として同定された後、rhFSを同一モデルにおいて試験した。ベヒクルはTBS＋4.5％のスクロースであり、そしてrhThrombin濃度を250から287.5U/ml（最終）に増加させて、スクロースのための遅い凝固時間を補償した。それ以外において、2つの実験は同一であった。ベヒクル対照と比較したとき、rhFSは外科手術後5日に流体の蓄積を劇的に減少させた（第16図）。漿液腫体積は6.4ml±3.2から1.2ml±1.1（p＜0.0001）に減少させた。炎症はrhFSに関係づけられず、創傷層において異常のパラメーターは組織学的に認められなかった。さらに、抗フィブリン溶解因子はrhFS処方物の中に存在しないが、シーラントは外科手術後5日に比較的無傷であった。
【０１５７】
参考文献
1.  Lipinska  I，Lipinski  B，Gurewich  V，J  Lab  Clin  Med  1974；84(4):509-16。
2.  Hasegawa  N，Sasaki  S.  Thromb  Res  1990；57(2):183-95。
3.  Siebenlist  KR，Meh  DA，Mosesson  MW，Biochemistry  1996；35(32)：10448-53。
4.  Clark  RA，Lanigan  JM，DellaPells  P.他，J  Invest  Dermatol  1982;79(5)：264-9。
5.  Redl  H，Schalg  G，In  Schlag  G，RedI  H，編，Fibrin  Sealant  in  Operative  Medicine。Berlin：Springer−Verlag，1986，pp.27−38。
【０１５８】
6.  Sierra  DH，Ｊ  Bioamater  Appl  1993；7(4)：309-52。
7.  Siedentop  KH，Harris  DM，Sanchez  B，Laryngoscpe  1988：98(7):731-3。
8.  Siedentop  KH，Park  JJ，Sanchez  B.  Arch  Otolaryngol  Head  Neck  Surg  1995；121(7)：769-72。
9.  Park  JJ，Siedentop  KH，Chung  S，他，Am  J  Otol  1997:18(5)：655-9。
10.  Siedentop  KH，Chung  SE，Park  JJ，他，Am  J  Otol  1997:18(5)：660−4。
【０１５９】
11.  Kjaergard  HK，Weis−Fogh  US，Eur  Srug  Res  1994；26(5)：273−6。
12.  Edwards  MW，de  Bang  E，Strout  Ｊ，Bishop  PD，Fibrinolysis  1993；7：211-216。
13.  Siebenlist  KR，Mosesson  MW，J  Biol  Chem  1994；269(45)：28414−9。
14.  Shulman  S，Ferry  JD，J.  Am.  Chem.  Soc.  1949；71：66−79。
15.  Radosevich  M，Goubran  HI，Burnouf  T，Vox  Sang  1997；72(3)：133−43。
【０１６０】
16.  Jackson  MR，MacPhes  MJ，Droban  WN，Alving  BM，Blood  Coagul  Fibrinlysis  1996；7(8)：737−46。
17.  Yorifuji  H，Anderson  K，Lynch  GW，他，Blood  1988；72(5)：1645−50。
18.  Nair  CH，Shats EA，［In  Process  Citation］，Thrombo.  Res  1997；88(4)：381−7。
19.  Marx  G，Blankenfeld  A，Blood  Coagul  Fibrinolysis  1993；4(1)：73−8。
【０１６１】
20.  Nowotny  R，Chalupka  A，Nowotny  C，Bosch  P，In  Winter  G，Gibbos  D，Plenk  JJ，編，Biomaterials  1980：John  Wiley  &  Sons  Ltd.，1982。
21.  Arnaud  E，Morieux  C，Wybier  M，de  Vernjoul  MC，Ann  Chir  Plast  Esthet  1994；39(4)：491−8。
22.  Lasa  C，Jr.，Hollinger  J，Drohan  W，MacPhee  M，Plast  Reconstr  Surg  1995；96(6)：1409−17；discussion  1418。
23.  Kania  RE，Meunier  A，Hamadouche  M，他，J  Biomed  Mater  Res  1998；43(1)：38−45。
【０１６２】
24.  Nabeshima  Y，Kurosaka  M，Yosiya  S，Mizuno  K，Knee  Surg  Sports  Traumatol  Arthrasc  1995；3(1)：34−8。
25.  Xu  W，Li  H，Brodniewicz  T，他，Burns  1996；22(3)：191−6。
26.  Auger  FA，Guignard  R，Lopez  Valle  CA，Germain  L，Br  J  Plast  Srug  1993；46(2)；136−42。
27.  Jabs  AD，Jr.，Wider  TM，DeBellis  J，Hugo  NE，Plast  Reconster  Surg  1992；89(2)：268−71。
28.  Kram  HB，Hiono  ST，Harley  DP，他，J  Biomed  Mater  Res  1986；20(5)：547−53．
【０１６３】
29.  Kuzu  A，Aydintug  S，Karayalcin  K，他，J  R  Coll  Surg  Edinb  1992：37(3)：162−4。
30.  Raccuia  JS，Simonnian  G，Dardik  M，他，Am  J  Surg  1992；163(2)：234−8。
31.  Kjaergard  HK、Axelsen  P，Weis−Fogh  US，Injury  1995；26(3)：147−9。
32.  Larson  MJ，Bowersox  JC，Lim  RC，Jr.，Hess  JR，Arch  Surg  1995；130(4)：420−2。
【０１６４】
33.  Brown  DM，Barton  BR，Young  VL，Pruitt  BA，［published  errat  appear  in  Arch  Surg  1992  Jul；127(7)：822および1992  Aug；127(8)：960］，Arch  Surg  1992；127(4)：404−6。
34.  De  Iaco  P，Coata  A，Mazzoleni  G，他，Fertil  Steril  1994；62(2)：400−4。
35.  Bold  EL，Wanamaker  JR，Zina  JE，Lavertu  P，Am  J  Otolaryngol  1996：17(1)：27−30。
36.  Romanos  GE，Strub  JR，J  Biomed  Mater  Res  1998；39(3)：462−8。
【０１６５】
37.  Lindenberg  S，Lauritsen  JG，Ann  Chir  Gynaecol  1984；73(1)：11−3。
38.  Wang  JY，Goodman  NC，Amiss  LR，Jr.，他，Ann  Plast  Surg  1996；37(4)：400−5。
39.  Moore  MM，Mguyen  DH，Spotnitz  WD，Am  Surg  1997；63(1)：97−102。
40.  Sanders  RP，Goodmann  NC，Amiss  LR，Jr.，J  Surg  Res  1996；61(1)：65−70。
41.  Lindsey  WH、Masterson  TM，他，Am  J  Surg  1988；156(4)：310−3。
【０１６６】
42.  Harada  RN，Pressler  VM，McNamara  JJ，Surg  Gynecol  Obstet  1992；175(5)：450−4。
43.  Fasol  R，Schumacher  B，Schlaudraff  K，他，J  Thorac  Cardiovasc  Surg  1994；107(6)：1432−9。
44.  Yano  K，Mtsuoka  H，Baba  H，他，Gan  To  Kagaku  Ryoho  1995；22(11)：1629−31。
45.  Albes  JM，Klenzner  T，Lotzerke  J，他，Ann  Thorac  Surg  1994；57(2)：444−9。
46.  Guest  JD，Hesse  D，Schnell  L，他，J  Neurosci  Res  1977；50(5)：888−905。
47.  Lindsey  WH，Bekcer  DG，Hoare  JR，他，Laryngoscope  1995；105(3  Pt  1)：241−3。
【図面の簡単な説明】
【図１】  図１は、Fbgn、トロンビン、およびFXIIIを組合わせてFSを形成する、生化学的メカニズムを示す。混合するとき、トロンビンはFbgnをフィブリン（Fbn）変換し、Fbnは重合してゲルを形成する。トロンビンは、また、FXIIIのチモーゲン（不活性）型を活性型に変換し、この活性型は、カルシウムの存在において、重合したFbn分子を架橋してゲルを強化し、その物理的性質を変更する。
【図２】  図２は、商用FS（TsselR）からのrhFbgn、および血漿由来Fbgn（hFbgn）およびFbgnのゲル化をモニターする光学密度のプロファイルを示す。これらのプロットは、異なる源からのFbgnが同一アッセイ条件下に異なるように挙動することを証明する。アッセイの条件TBS（20mMのTris−HCl、pH7.4、120mMのNaCl）、0.2mg／mlのFbgn、0.5U／mlのrhThrombin、および2.7μgのrhFXIII／mgのrhFbgnをrhFbgnに添加してFXIIIレベルをほぼ正規化した）。
【図３】  図３は、機械的（トロンボエラストグラフィー）および光学的（UV−Vis）測定法を使用してrhFSを特性決定する測定法を示す。両方の技術はゲル化速度およびrhFSの最終性質についての情報を生じ、そして組換えフィブリンシーラントの性質に対するタンパク質処方および緩衝液成分の作用を評価するために使用できる。典型的には、光学的測定法は機械的測定法よりも速くゲル化を検出する。アッセイの条件：20mMのTris−HCl、pH7.4、250mMのNaCl、5％のスクロース、20mMのCaCl2、3.0mg／mlのrhFbgn、1.0U／mlのrhThrombin、3μgのrhFXIII／mgのrhFbgn、37℃。1mmの通路長さのキュベットを使用して、光学的測定法を実施した。
【図４ａ】  図４ａは、シラスティック（Silastic）（医学的等級のシリコーンゴム）および分割仔ウシ皮膚に付着するrhFSの引張接着強さに対するrhFXIIIの作用を証明するプロットを示す。被着体を直径2cmのディスクに打抜き、カスタムのステンレス鋼ジグにエポキシで接着した。上部および下部のジグの間にスペーサーを使用して、破壊モード（凝着／接着）を確立できるように、見ることができるrhFSの既知の厚さをつくった。アッセイの条件：TBS（20mMのTris−HCl、pH7.4、120mMのNaCl）、20mMまたは5mMのCaCl2（それぞれ、シラスティックおよび仔ウシ皮）、30mg／mlのrhFibrinogen、1.0U／mlまたは0.5U／mlのrhThrombin（それぞれ、シラスティックおよび仔ウシ皮）、および10μgまたは5μgのrhFXIII／mgのrhFbgn（それぞれ、シラスティックおよび仔ウシ皮）。試料を37℃において30分間インキュベートし、5.0mm／分または2.5mm／分（それぞれ、シラスティックおよび仔ウシ皮）で引き離した。
【図４ｂ】  図４ｂは図４ａと同様である。
【図５】  図５は、FSの凝固に対するFbgnの作用を示すプロットである。血漿由来のFbgnおよびrhFbgnを使用するFSを比較する。遠心後のシーラントにより占有されるもとの体積の％として、データはプロットされている。アッセイの条件：TBS（20mMのTris−HCl、pH7.4、120mMのNaCl）、5mMのCaCl2、2.5〜15mg／mlのFbgn、0.5U／mlのrhThrombin、および10μg／mlのrhFXIII（rhFbgnのみに添加した）。試料を37℃において1時間インキュベートした後、8000×gにおいて45秒間遠心した。
【図６】  図６は、凝固挙動およびrhFSに対する添加した塩（イオン強度を増加する）および添加したソルビトールの作用を証明するプロットである。血漿由来ヒトFbgn（hFbgn）を使用するFSの挙動を参照として示す。遠心後のシーラントにより占有されるもとの体積の％として、データはプロットされている。アッセイの条件：TBS（20mMのTris−HCl、pH7.4、120mMのNaCl）、5mMのCaCl2、2.5〜15mg／mlのFbgn、0.5U／mlのrhThrombin、および67μg／mlのrhFXIII（rhFbgnのみに添加した）。試料を37℃において1時間インキュベートした後、8000×gにおいて45秒間遠心した。
【図７】  図７は、広い範囲の緩衝条件およびrhThrombin濃度にわたる、TEGにより測定した剛性と、不透明度との間の関係を図解する線図である。TBS中の組換え体および血漿由来FSの性質、および処方変化の一般的効果が線図に示されている。低い不透明度の限界（微細ゲル）において、ゲルは脆くなり、ゲルの機械的挙動は急速に劣化する。アッセイの条件：20mMのTris−HCl、pH7.4、120〜500mMのNaCl、0〜9％のスクロース、20mMのCaCl2、3.0mg／mlのrhFibrinogen、1.0〜1.4U／mlのrhThrombin、3μg／mlのrhFXIII／mgのrhFbgn、37℃。1mmの通路長さのキュベットを使用して、光学的測定法を実施した。
【図８ａ】  図８ａは、処方緩衝液のイオン強度またはスクロース濃度が増加するときの、粗大ゲル構造から微細ゲル構造へのrhFSの構造の移行の視的証明を示す。アッセイの条件：TBS（20mMのTris−HCl、pH7.4、120〜500mMのNaCl）、4.5％のスクロース、20mMのCaCl2、23.7mg／mlのrhFbgn、1U／mlのrhThrombin、10μg／mlのrhFXIII／mgのrhFbgn、37℃。
【図８ｂ】  図８ｂは図８ａと同様である。
【図９】  図９は、商用FS中のFXIII濃度の報告された範囲を図解する（Radosevich他、1997、Jackson他、1996）。rhFXIII濃度はFXIII／Fbgnの比（U／mg）としてプロットされた。この報告の残部におけるデータとの比較のために、1単位＝10μgのFXIII（Yorifujii他、1988）。1U／mlのFXIIIおよび2.5mg／mlのFbgnを仮定すると、正常のヒト血漿中のFXIII／Fbgnの比はほぼ0.4U／mgである。
【図１０】  図10は、rhFSの凝固挙動に対する添加したrhFXIIIおよび添加したスクロースの効果を証明するプロットである。血漿由来Fbgn（hFbgn）を使用するFSの挙動が参照として与えられている。遠心後のシーラントにより占有されるもとの体積の％として、データはプロットされている。rhFXIII濃度はrhFXIII／rhFibrinogenの比（μg／mg）として与えられている。アッセイの条件：TBS（20mMのTris−HCl、pH7.4、120mMのCaCl2、2.5mg／mlのrhFbgn、0.5U／mlのrhThrombin。試料を37℃において1時間インキュベートした後、8000×gにおいて45秒間遠心した。
【図１１】  図11は、トロンボエラストグラフィー（TEG）およびUV−Vis分光法により測定した機械的および光学的性質に対するrhFXIIIの濃度依存的効果を証明するプロットである。アッセイの条件：TBS（20mMのTris−HCl、pH7.4、120mMのNaCl）、4.5％のスクロース、20mMのCaCl2、3.0mg／mlのrhFbgn、1.0U／mlのrhThrombin、1.0U／mlのrhThrombin、37℃。rhFXIII濃度はrhFXIII／rhFbgnの比（μg／mg）として与えられている。1mmの通路長さのキュベットを使用して、光学的測定法を実施した。
【図１２】  図12は、TEGにより測定したrhFSの機械的性質に対するrhFXIIIの濃度依存的効果を証明するプロットである。アッセイの条件：TBS（20mMのTris−HCl、pH7.4、120mMのNaCl）、4.5％のスクロース、20mMのCaCl2、3.0mg／mlのrhFbgn、1.0U／mlのrhThrombin、37℃。rhFXIII濃度はrhFXIII／rhFbgnの比（μg／mg）として与えられている。混合後30分にTEG振幅路（mm）を測定した。
【図１３】  図13は、平行板レオメトリーにより測定したrhFSの機械的性質に対するrhFXIIIの濃度依存的効果を証明するプロットである。試料の小さい変形（1％の応力における1H×振動）を30分間使用し、次いで試料が破断するまで増加する振幅の振動を使用して、弾性率を測定した。アッセイの条件：TBS（20mMのTris−HCl、pH7.4、120mMのNaCl）、4.5％のスクロース、20mMのCaCl2、23mg／mlのrhFbgn、1.0U／mlのrhThrombin、37℃。rhFXIII濃度はrhFXIII／rhFbgnの比（μg／mg）として与えられている。データは5回の反復試験の平均および標準偏差としてプロットされている。
【図１４】  図14は、シラスティック（医学的等級のシリコーンゴム）に接着するrhFSの引張接着強さに対する、rhFXIIIおよび4.5％のスクロースの、単独および組合わせの両方の、効果を証明するプロットである。rhFSの表面面積について正規化された破断における力として、極限強さ（UTS）を報告する。アッセイの条件：TBS（20mMのTris−HCl、pH7.4、120mMのNaCl）、20mM、30mg／mlのrhFbgn、1.0U／mlのrhThrombin、および10μgのrhFXIII／mgのrhFbgn。試料を37℃において1時間インキュベートし、5.0mm／分で引き離した。
【図１５】  図15は、プラスミンによるrhFSの分解速度に対するrhFXIIIの濃度依存的効果を証明するプロットである。rhFXIII濃度はrhFXIII／rhFibrinogenの比（μg／mg）としてプロットされている。速度（％／分）は溶解画分／時間のプロットの線形部分から決定された初期速度である（インセット参照）。アッセイの条件：TBS（20mMのTris−HCl、pH7.4、120mMのNaCl）、4.5％のスクロース、20mMのCaCl2、20mg／mlのrhFibrinogen、3.0U／mlのrhThrombin、および0〜1.48μg／mlのrhFXIII。試料を37℃において16時間インキュベートし、50mMのTris−HCl、pH8.6、10mMのCaCl2中の8μg／mlのhPlasminの溶液で溶解した。
【図１６】  図16は、ラットにおける定型的乳房切断後の漿液腫体積を減少するrhFSの効能を証明するプロットである。これは完全に組換え体のヒトフィブリンシーラントの効能の第1の前臨床の証明である。第5日における漿液腫流体の重量が反復されている。誤差バーは標準偏差を表す。アッセイの条件：TBS（20mMのTris−HCl、pH7.4、120mMのNaCl）、4.5％のスクロース、20mMのCaCl2、30mg／mlのrhFibrinogen、287.5U／mlのrhThrombin、および300μg／mlのrhFXIII／mgのrhFbgn。
【図１】
0004468577.tif 000002
【図２】
0004468577.tif 000003
【図３】
0004468577.tif 000004
【図４ａ】
0004468577.tif 000005
【図４ｂ】
0004468577.tif 000006
【図５】
0004468577.tif 000007
【図６】
0004468577.tif 000008
【図７】
0004468577.tif 000009
【図８ａ】
0004468577.tif 000010
【図８ｂ】
0004468577.tif 000011
【図９】
0004468577.tif 000012
【図１０】
0004468577.tif 000013
【図１１】
0004468577.tif 000014
【図１２】
0004468577.tif 000015
【図１３】
0004468577.tif 000016
【図１４】
0004468577.tif 000017
【図１５】
0004468577.tif 000018
【図１６ａ】
0004468577.tif 000019
【図１６ｂ】
0004468577.tif 000020